(57)【要約】  ネットワークのカバレッジ領域内における多数の基地局と通信が可能な多数のページング制御機を含む無線通信ネットワークにおいて、少なくとも一つのページング制御機は、ページング領域内の移動端末がアイドルモードに進入することを要請すると臨時ページング識別子（ｉｄｅｎｔｉｆｉｃａｔｉｏｎ）を前記移動端末に割り当て、前記臨時ページング識別子を前記移動端末と通信する基地局に伝送し、前記臨時ページング識別子は、ページング機会又はフレームのインデックスを決定するためのページングサイクルにおいて、ページングメッセージを伝送するために前記基地局によって使用されることを特徴とする無線通信ネットワーク。
2011527547.tif 000002
【特許請求の範囲】
【請求項１】
ネットワークのカバレッジ領域内で多数の基地局と無線通信が可能なページング制御機において、前記ページング制御機は、
ページング領域内の移動端末がアイドルモードへの進入を要請する場合、臨時ページング識別子を前記移動端末に割り当て、
前記臨時ページング識別子を前記移動端末と通信する基地局に伝送し、
前記臨時ページング識別子は、前記移動端末に対するページングメッセージを伝送するためのページングサイクルにおいて、ページング機会又はフレームのインデックスを決定するために、前記基地局によって使用されることを特徴とするページング制御機。
【請求項２】
前記ページング機会又はフレームのインデックスは、下記数式を利用して決定されることを特徴とする請求項１に記載のページング制御機。
インデックス＝臨時ページング識別子％Ｎ  
ここで、％はモジュロ演算を示し、Ｎはページングサイクルにおけるページング機会又はフレームの数を示す。
【請求項３】
ページング領域において、次の移動端末がアイドルモードへの進入を要請する場合、前記臨時ページング識別子が１増加することで臨時ページング識別子を新たに生成することを特徴とする請求項１に記載のページング制御機。
【請求項４】
前記移動端末が前記ページング領域を離れる場合、前記ページング制御機は前記移動端末の臨時ページング識別子を復旧し、前記臨時ページング識別子を前記ページング領域でアイドルモードへの進入を要請する次の移動端末に再び割り当てることを特徴とする請求項１に記載のページング制御機。
【請求項５】
前記臨時ページング識別子の最後の２ビットは、００、０１、１０、および１１のうちの一つで構成され、上位ビット（ｈｉｇｈｅｒ  ｂｉｔｓ）はランダムに選択される値であることを特徴とする請求項１に記載のページング制御機。
【請求項６】
前記移動端末が前記ページング領域を離れる場合、前記ページング制御機は前記移動端末の臨時ページング識別子の最後の２ビットを復旧し、前記ページング領域でアイドルモードへの進入を要請する次の移動端末に対する新たな臨時ページング識別子を生成するための前記最後の２ビットを使用することを特徴とする請求項５に記載のページング制御機。
【請求項７】
前記移動端末は、少なくとも部分的に前記臨時ページング識別子に基づく一つ又は複数のページングサブグループに割り当てられることを特徴とする請求項１に記載の制御機。
【請求項８】
各ページングサブグループは、ほぼ同じ数のアイドルモードの移動端末を有していることを特徴とする請求項７に記載の制御機。
【請求項９】
前記移動端末は、下記数式を利用してページングサブグループに割り当てられることを特徴とする請求項７に記載のページング制御機。
ページングサブグループインデックス＝臨時ページング識別子％ｎ
ここで、％はモジュロ演算を示し、ｎはページングサブグループの全体の数を示す。
【請求項１０】
ページング制御機の動作方法において、
ページング領域内の移動端末がアイドルモードへの進入を要請する場合、臨時ページング識別子を前記移動端末に割り当てる過程と、
前記臨時ページング識別子を前記移動端末と通信する基地局に伝送する過程と、を含み、
前記臨時ページング識別子は、前記移動端末に対するページングメッセージを伝送するためのページングサイクルにおいて、ページング機会又はフレームのインデックスを決定するために、前記基地局によって使用されることを特徴とする方法。
【請求項１１】
前記ページング機会又はフレームのインデックスを決定する過程は、下記数式を利用して決定されることを特徴とする請求項１０に記載の方法。
インデックス＝臨時ページング識別子％Ｎ
ここで、％はモジュロ演算を示し、Ｎはページングサイクルにおけるページング機会又はフレームの数を示す。
【請求項１２】
前記ページング領域において、次の端末がアイドルモードへの進入を要請する場合、前記臨時ページング識別子が１増加することで臨時ページング識別子を新たに生成する過程を更に含むことを特徴とする請求項１０に記載の方法。
【請求項１３】
前記移動端末が前記ページング領域を離れる場合、前記移動端末の前記臨時ページング識別子を復旧し、前記臨時ページング識別子をアイドルモードへの進入を要請する次の移動端末に再び割り当てる過程を更に含むことを特徴とする請求項１０に記載の方法。
【請求項１４】
前記臨時ページング識別子の最後の２ビットは、００、０１、１０、および１１のうちの一つで構成され、上位ビットはランダムに選択される値であることを特徴とする請求項１０に記載の方法。
【請求項１５】
前記移動端末が前記ページング領域を離れる場合、前記移動端末の前記臨時ページング識別子の最後の２ビットを復旧し、前記ページング領域でアイドルモードへの進入を要請する次の移動端末に対する新たな臨時ページング識別子を生成するために前記最後の２ビットを使用する過程を更に含むことを特徴とする請求項１４に記載の方法。
【請求項１６】
前記移動端末は、少なくとも部分的に臨時ページング識別子に基づく一つ又は複数のページングサブグループに割り当てられることを特徴とする請求項１０に記載の方法。
【請求項１７】
各ページングサブグループは、ほぼ同じ数のアイドルモードの移動端末を有していることを特徴とする請求項１６に記載の方法。
【請求項１８】
前記移動端末は、下記数式を利用してページングサブグループに割り当てられることを特徴とする請求項１６に記載の方法。
ページングサブグループインデックス＝臨時ページング識別子％ｎ
ここで、％はモジュロ演算を示し、ｎはページングサブグループの全体の数を示す。
【請求項１９】
ネットワークのカバレッジ領域内における多数の加入者ステーション（ｓｕｂｓｃｒｉｂｅｒ  ｓｔａｔｉｏｎｓ）と通信可能な多数の基地局において、多数の基地局のうち少なくとも一つの基地局は、
臨時ページング識別子をページング制御機から受信し、前記臨時ページング識別子はアイドルモードへの進入を要請する移動端末と関連され、
前記臨時ページング識別子を使用する移動端末に対するページングメッセージを伝送するページングサイクルにおいて、ページング機会又はフレームのインデックスを決定することを特徴とする基地局。
【請求項２０】
前記ページングサイクルのページング機会又はフレームにおいて、前記移動端末に対するページングメッセージを伝送することを特徴とする請求項１９に記載の基地局。
【請求項２１】
前記ページング機会又はフレームのインデックスは、下記数式を利用して決定されることを特徴とする請求項１９に記載の基地局。
インデックス＝臨時ページング識別子％Ｎ
ここで、％はモジュロ演算を示し、Ｎはページングサイクルにおけるページング機会又はフレームの数を示す。
【請求項２２】
基地局の動作方法において、
臨時ページング識別子をページング制御機から受信する過程を含み、前記臨時ページング識別子はアイドルモードへの進入を要請する移動端末と関連され、
前記臨時ページング識別子を使用する移動端末に対するページングメッセージを伝送するページングサイクルにおいて、ページング機会又はフレームのインデックスを決定する過程を含むことを特徴とする方法。
【請求項２３】
前記ページングサイクルのページング機会又はフレームにおいて、前記移動端末に対する前記ページングメッセージを伝送する過程を更に含むことを特徴とする請求項２２に記載の方法。
【請求項２４】
前記ページング機会又はフレームのインデックスは、下記数式を利用して決定されることを特徴とする請求項２２に記載の方法。
インデックス＝臨時ページング識別子％Ｎ
ここで、％はモジュロ演算を示し、Ｎはページングサイクルにおけるページング機会又はフレームの数を示す。
【請求項２５】
移動端末において、
各ページングサイクルにおけるページングメッセージをモニターするためにページング機会又はフレームのシングルインデックスを決定し、前記シングルインデックスは、少なくとも部分的に前記移動端末に割り当てられた臨時ページング識別子に基づき、
前記シングルインデックスのページング機会又はフレームでだけページングメッセージをモニタリングすることを特徴とする移動端末。
【請求項２６】
前記ページング機会又はフレームのシングルインデックスは、下記数式によって決定されることを特徴とする請求項２５に記載の移動端末。
インデックス＝臨時ページング識別子％Ｎ
ここで、％はモジュロ演算を示し、Ｎはページングサイクルにおけるページング機会又はフレームの数を示す。
【請求項２７】
前記移動端末は、
各ページングサイクルにおいて、一つのページング機会又はサブフレームだけのためのページングリスニングインターバルに残っていることを特徴とする請求項２５に記載の移動端末。
【請求項２８】
前記移動端末が前記シングルインデックスのページング機会又はフレームでページングメッセージを受信できなかった場合、前記移動端末はページング不可用インターバルにスイッチすることを特徴とする請求項２５に記載の移動端末。
【請求項２９】
前記移動端末がシングルインデックスのページング機会又はフレームにおけるメッセージを受信する場合、前記移動端末は、ネットワークへの再進入を始めることを特徴とする請求項２５に記載の移動端末。
【請求項３０】
前記移動端末は、明示的（ｅｘｐｌｉｃｉｔ）なシグナリングなしに、前記シングルインデックスを決定することを特徴とする請求項２５に記載の移動端末。
【請求項３１】
前記移動端末は、ページングインジケータ、ページング位置インジケータ及びラストページングインジケータなしに、前記シングルインデックスを決定することを特徴とする請求項２５に記載の移動端末。
【発明の詳細な説明】
【技術分野】
【０００１】
本発明は無線通信システムに関し、特に向上したアイドルモード（Ｉｄｌｅ  Ｍｏｄｅ）の設計に関する。
【背景技術】
【０００２】
アイドルモードの動作は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｅに記述されている。移動端末（ＭＳ：Ｍｏｂｉｌｅ  Ｓｔａｔｉｏｎ）及び基地局（ＢＳ：Ｂａｓｅ  Ｓｔａｔｉｏｎ）は、それぞれＤＲＥＧ−ＲＥＱ及びＤＲＥＧ−ＣＭＤメッセージを利用してアイドルモードを始める。
【０００３】
移動端末がアイドルモードに進入した後、移動端末はページングサイクル、ページングオフセット、ページングリスニング区間（Ｐａｇｉｎｇ  Ｌｉｓｔｅｎｉｎｇ  Ｉｎｔｅｒｖａｌ）及びページング不可用区間（Ｐａｇｉｎｇ  Ｕｎａｖａｉｌａｂｌｅ  Ｉｎｔｅｒｖａｌ）のために固定されたパラメータを利用する。
【０００４】
もし、移動端末がページングされた場合、前記移動端末はコードに基づいたレインジング（Ｃｏｄｅ  Ｂａｓｅｄ  Ｒａｎｇｉｎｇ）及びＲＮＧ−ＲＥＱ／ＲＳＰメッセージを利用して無線アクセスネットワークに再進入する。移動端末は新たなページング領域に進入する場合、位置更新を行う。
【０００５】
ＩＥＥＥ８０２．１６ｅのアイドルモード設計において注意すべきことは、ページングメッセージの正確な位置が予め決まっていないということである。従って、移動端末は、全体のページングリスニングインターバル（ＰＬＩ：Ｐａｇｉｎｇ  Ｌｉｓｔｅｎｉｎｇ  Ｉｎｔｅｒｖａｌ）の検索の間、ページングメッセージ（例えば、ＭＯＢ＿ＰＡＧ−ＡＤＶ（）メッセージ）のために起きている状態を維持しなければならない。前記ページングメッセージは、移動端末がアイドルモードに進入する前に割り当てられたページンググループアイデンティティ（ＰＧＩＤ：Ｐａｇｉｎｇ  Ｇｒｏｕｐ  Ｉｄｅｎｔｉｔｙ）を含む。
【０００６】
ＩＥＥＥ８０２．１６ｅでは、アイドルモードの設計を向上させるため、様々は試みを行ってきた。
【０００７】
その中の一つの試みは、クイックページングインジケータ（Ｑｕｉｃｋ  Ｐａｇｉｎｇ  Ｉｎｄｉｃａｔｏｒ）を使用することである。このような設計で、移動端末は最初にこのようなページングインジケータがポジティブ（Ｐｏｓｉｔｉｖｅ）であるか否かを検査する。もし前記ページングインジケータがネガティブ（Ｎｅｇａｔｉｖｅ）である場合、前記移動端末はそれ以上リスニング（Ｌｉｓｔｅｎ）せず、直ちにページング不可用区間に戻る。
【０００８】
もし、ページングインジケータがポジティブである場合、前記移動端末は起きている状態を維持したまま、移動端末がページングされるか否かを知るためにページングメッセージを検索する。
【０００９】
このような設計において注意すべきことは、クイックページングインジケータの正確性（Ｆｉｎｅｎｅｓｓ）である。言い換えると、クイックページングインジケータは多くのヘルプを要しない。なぜなら、ページングインジケータは、アイドルモードにおける移動端末がたくさん存在すれば大部分の時間の間ポジティブであるためであり、このような移動端末のうち一つでもページングされる必要があればインジケータはポジティブであるためである。
【００１０】
また他の試みは、ページングメッセージを更に小さいいくつかのメッセージに分けることである。なぜなら、ＭＯＢ＿ＰＡＧ−ＡＤＶ（）は、一つのメッセージだけによってページングサイクルの全ての移動端末に送信するには大きさが大きすぎるためである。
【００１１】
このような設計では、ラストページングインジケータ（ＬＰＩ：Ｌａｓｔ  Ｐａｇｉｎｇ  Ｉｎｄｉｃａｔｏｒ）が該当ページングサイクルにそれ以上ページングメッセージがないとことを表す場合、移動端末がＰＬＩを直ちに中止できるようにそれぞれのメッセージにＬＰＩを含ませる。
【００１２】
また他の試みは、移動端末が全体のＰＬＩの間ページングメッセージに対する検索を義務的にする必要がないよう、ページングロケーションインジケータ（Ｐａｇｉｎｇ  Ｌｏｃａｔｉｏｎ  Ｉｎｄｉｃａｔｏｒ）を使用することである。
【００１３】
しかし、このような試み全ては、移動端末がＬＰＩ又はページングロケーションインジケータがページングサイクルのどの辺に位置するかを知るために、ｅｘｐｌｉｃｉｔなしシグナリングを要する。
【００１４】
従って、発展した無線通信システムにおいて、効果的にアイドルモードをハンドリングするためのシステム及び方法が必要となる。特に、例えばＩＥＥＥ８０２．１６ｍで要求されるように、効果的に消費電力を減らすアイドルモードハンドリングに対するシステム及び方法が必要となる。
【先行技術文献】
【特許文献】
【００１５】
【特許文献１】国際公開第２００７／０４７７５１号
【特許文献２】国際公開第２００７／１０７１２１号
【発明の概要】
【課題を解決するための手段】
【００１６】
本発明の目的を達成するための本発明の第１見地によると、ネットワークのカバレッジ領域内における多数の基地局と通信が可能な多数のページング制御機を含む無線通信ネットワークにおいて、少なくとも一つのページング制御機はページング領域内の移動端末がアイドルモードに進入することを要請すれば、臨時ページング識別子（ｉｄｅｎｔｉｆｉｃａｔｉｏｎ）を前記移動端末に割り当て、前記臨時ページング識別子を前記移動端末と通信する基地局に伝送して前記臨時ページング識別子はページング機会又はフレームのインデックスを決定するためのページングサイクルにおいて、ページングメッセージを伝送するために前記基地局によって使用されることを特徴とする無線通信ネットワーク。
【００１７】
本発明の目的を達成するための本発明の第２見地によると、ネットワークのカバレッジ領域内で多数の基地局と無線通信が可能なページング制御機において、前記ページング制御機は、もし移動端末がページング領域内でアイドルモードへの進入を要請する場合、臨時ページング識別子を前記移動端末に割り当て、前記臨時ページング識別子を前記移動端末と通信する基地局に送信し、前記臨時ページング識別子は、前記移動端末に対するページングメッセージを伝送するためのページングサイクルにおける機会又はフレームのインデックスを決定するために前記基地局によって使用されることを特徴とするページング制御機。
【００１８】
本発明の目的を達成するための本発明の第３見地によると、ページング制御機の動作方法において、もし移動端末がページング領域内でアイドルモードへの進入を要請する場合、臨時ページング識別子を前記移動端末に割り当てる過程と、前記臨時ページング識別子を前記移動端末と通信する基地局に伝送する過程と、を含み、前記臨時ページング識別子は、前記移動端末に対するページングメッセージを伝送するためのページングサイクルにおいて、ページング機会又はフレームのインデックスを決定するために前記基地局によって使用されることを特徴とする方法。
【００１９】
本発明の目的を達成するための第４の見地によると、ページング制御機の動作方法において、もし移動端末がページング領域内でアイドルモードへの進入を要請する場合、臨時ページング識別子を前記移動端末に割り当てる過程と、前記臨時ページング識別子を前記移動端末と通信する基地局へと伝送する過程と、を含み、前記臨時ページング識別子は、前記移動端末に対するページングメッセージを伝送するためのページングサイクルでページング機会又はフレームのインデックスを決定するため、前期基地局によって使用されることを特徴とする方法。
【００２０】
本発明の目的を達するための本発明の第５見地によると、ネットワークのカバレッジの領域内における多数の加入者ステーション（ｓｕｂｓｃｒｉｂｅｒ  ｓｔａｔｉｏｎ）と通信可能な多数の基地局において、多数の基地局のうち少なくとも一つの基地局は臨時ページング識別子をページング制御機から受信するが、前記臨時ページング識別子はアイドルモードへの進入を要請する移動端末と関連され、前記ページング識別子を使用する移動端末に対するページングメッセージを伝送するページングサイクルにおいて、ページング機会又はフレームのインデックスに決定することを特徴とする基地局。
【００２１】
本発明の目的を達成するための本発明の第６見地によると、基地局の動作方法において、臨時ページング識別子をページング制御機から受信する過程を含むが、前記臨時ページング識別子は、アイドルモードへの進入を要請する移動端末と関連され、前記臨時ページング識別子を使用する移動端末に対するページングメッセージを伝送するページングサイクルにおいて、ページング機会又はフレームのインデックスを決定する過程を含むことを特徴とする方法。
【００２２】
本発明の目的を達成するための本発明の第７見地によると、移動端末において、各ページングサイクルにおけるページングメッセージをモニターするためにページング機会又はフレームのシングルインデックスを決定するが、前記シングルインデックスは少なくとも部分的に前記移動端末に割り当てられた臨時ページング識別子に基づき、前記シングルインデックスのページング機会又はフレームでだけページングメッセージをモニタリングすることを特徴とする移動端末。
【００２３】
後述する本発明の実施の形態のための具体的な内容の前に、本発明全般に渡って使用される単語及び文句の定義を説明しておくことが好ましい。本発明で使用される「含む」という単語は、これと類似な単語の意味を含む。例えば、「有する」などの意味を含む。他の単語もこれと同じである。
【００２４】
本発明における制御機は、ある装置、少なくとも一つの動作を制御するシステム又はパーツを意味する。そして前記制御機はハードウェア、ファームウェア、ソフトウェア又はこれらの組み合わせで具現されることができる。また、前記制御機の機能は、中央集中処理の形であるか、分散処理の形であってもよい。また、これは遠隔的又は地域的であってもよい。
【００２５】
本発明で使用される文句又は単語に対するに理解に当たって、当業者は以前の技術及び未来の技術に対しても本発明の概念を適用できるように理解するはずである。
【発明の効果】
【００２６】
本発明は、ページングメッセージを分配するため、大きなページングメッセージを伝送する確率を相当減少させることができるので、アイドルモードにおける移動端末に対して相当な電力の節減ができ、位置更新手続きに影響を及ぼさないという利点がある。
【図面の簡単な説明】
【００２７】
【図１】図１は、本発明の実施の形態によるアップリングにおけるメッセージを伝送する無線ネットワークを示す図である。
【図２】図２ａは、本発明の実施の形態によるハイレベル（Ｈｉｇｈ−Ｌｅｖｅｌ）のＯＦＤＭＡ伝送機を示す図であり、かつ、図２ｂは、本発明の実施の形態のよるハイレベルのＯＦＤＭＡ受信機を示す図である。
【図３】図３は、本発明の実施の形態によるページング制御機の動作を示す図である。
【図４】図４は、本発明の実施の形態による臨時ページングＩＤを生成して使用する方法を示すフローチャートである。
【図５】図５は、本発明の実施の形態によるページング移動端末が、ページイング領域で臨時ページングＩＤを使用する方法を示すフローチャートである。
【図６】図６は、本発明の実施の計値アによるページングメッセージをモニタリングする方法を示すフローチャートである。
【図７】図７は、本発明の実施の形態によるページングサイクルにおけるページングメッセージの分配を示す図である。
【図８】図８は、本発明の実施の形態もよつページングサイクルにおける移動端末のページングリスニングインターバルを示す図である。
【発明を実施するための形態】
【００２８】
以下、本発明の好ましい実施の形態を添付した図面を参照しながら具体的に説明する。そして、本発明を説明するに当たって、関連した公知機能又は構成に対する具体的な説明が本発明の要旨を不明確にする恐れがあると判断される場合、その詳細な説明は省略する。
【００２９】
後述する図１から図８まで、そして本発明の原則を説明するための多様な実施の形態は本発明を説明するためのものであり、これらのために本発明の範囲が制限されてはいけない。当業者は本発明の原則を理解できるはずであり、適切なあらゆる無線通信システムにおいてでも本発明の具現が可能であることはもちろんである。
【００３０】
図１は、本発明の実施の形態によるアップリンクにおけるメッセージを伝送する無線ネットワークを示す図である。
【００３１】
前記図１を参照すると、無線ネットワーク１００は、本発明の原則に従ってメッセージを伝送する。本発明の実施の形態では、無線ネットワーク１００は基地局１０１、１０２、１３０と、そして図示されていないが、他の類似した基地局と、を含む。
【００３２】
基地局１０１が、基地局１０２及び基地局１０３と通信する。基地局１０１はまた、インターネット１３０又は図示されていないがこれと類似したＩＰ（Ｉｎｔｅｒｎｅｔ  Ｐｒｏｔｏｃｏｌ）に基づいたネットワークと通信する。
【００３３】
基地局１０２は、基地局１０１を介して基地局１０２のカバレッジ領域１２０内の第１加入者ステーション（ｓｕｂｓｃｒｉｂｅｒ  ｓｔａｔｉｏｎ）にインターネット１３０などへの無線広帯域接続を提供する。
【００３４】
第１加入者ステーションは、小規模ビジネス（ＳＢ：Ｓｍａｌｌ  Ｂｕｓｉｎｅｓｓ）に位置した加入者ステーション１１１、企業（Ｅ：ｅｎｔｅｒｐｒｉｓｅ）に位置した加入者ステーション１１２、ＷｉＦｉホットスポット（ＨＳ：Ｈｏｔ  Ｓｐｏｔ）に位置した加入者ステーション１１３、第１居住地（Ｒ：Ｒｅｓｉｄｅｎｃｅ）に位置した加入者ステーション１１４、第２居住地に位置した加入者ステーション１１５及びセルラーフォン、無線ラップトップ、無線ＰＤＡ（Ｐｅｒｓｏｎａｌ  Ｄｉｇｉｔａｌ  Ａｓｓｉｓｔａｎｃｅ）などのような移動装置（Ｍｏｂｉｌｅ  Ｄｅｖｉｃｅ）であってよい加入者ステーション１１６を含む。
【００３５】
基地局１０３は、基地局１０１を介して基地局１０３のカバレッジ領域１２５内の第２加入者ステーションにインターネット１３０への無線広帯域接続を提供する。第２加入者ステーションは、加入者ステーション１１５及び加入者ステーション１１６を含む。
【００３６】
本発明の実施の形態では、基地局１０１〜１０３は互いに通信してもよく、加入者ステーション１１１〜１１６とＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）又はＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）を利用して通信してもよい。
【００３７】
基地局１０１は、更に多くの基地局又は更に少ない基地局と通信してもよい。さらに、６つの加入者ステーションだけが図１に示されているが、無線ネットワーク１００は無線広帯域接続を追加的な加入者ステーションに提供してもよい。
【００３８】
加入者ステーション１１５及び加入者ステーション１１６は、カバレッジ領域１２０及びカバレッジ領域１２５の両方の端に位置している。加入者ステーション１１５及び加入者ステーション１１６は、それぞれ基地局１０２及び基地局１０３と通信し、ハンドオフモードで動作するといえる。
【００３９】
加入者ステーション１１１〜１１６は、音声、データ、ビデオ、ビデオ会議（ｖｉｄｅｏ  ｃｏｎｆｅｒｅｎｃｉｎｇ）及び／又は更に他の広帯域サービスをインターネット１３０を介して接続することができる。
【００４０】
本発明の実施の形態では、一つ又はそれ以上の加入者ステーション１１１〜１１６がＷｉＦｉ  ＷＬＡＮ（Ｗｉｒｅｌｅｓｓ  Ｌｏｃａｌ  Ａｒｅａ  Ｎｅｔｗｏｒｋ）のアクセスポイント（ＡＰ：Ａｃｃｅｓｓ  Ｐｏｉｎｔ）にアソシエーション（ａｓｓｏｃｉａｔｉｏｎ）されてもよい。
【００４１】
加入者ステーション１１６は、無線使用が可能なラップトップコンピュータ、ＰＤＡ、ノートパソコン、携帯用デバイス（Ｈａｎｄｈｅｌｄ  Ｄｅｖｉｃｅ）又は更に他の無線使用が可能な装置のような多数の移動装置のうち一つであってもよい。
【００４２】
例えば、加入者ステーション１１４、１１５は、無線使用が可能なＰＣ（Ｐｅｒｓｏｎａｌ  Ｃｏｍｐｕｔｅｒ）、ラップトップコンピュータ、ゲートウェイ（ｇａｔｅｗａｙ）又は他の装置であってもよい。
【００４３】
図２ａは、本発明の実施の形態によるハイレベル（Ｈｉｇｈ−Ｌｅｖｅｌ）のＯＦＤＭＡ伝送機を示す図であり、図２ｂは、本発明の実施の形態によるハイレベルのＯＦＤＭＡ受信機を示す図である。
【００４４】
前記図２ａ及び図２ｂを参照すると、ＯＦＤＭＡ伝送経路は基地局１０２に、ＯＦＤＭＡ受信経路は加入者ステーション１１６に図示及び説明目的で具現されている。
【００４５】
しかし、当業者にはＯＦＤＭＡ受信経路を基地局１０２に、ＯＦＤＭＡ伝送経路を加入者ステーション１１６に具現してもよいことが分かる。
【００４６】
基地局１０２における伝送経路は、チャンネルコーディングと変調ブロック２０５、直列並列ブロック（Ｓ−ｔｏ−Ｐ）２１０、大きさＮ（Ｓｉｚｅ  Ｎ）逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）ブロック２１５、並列直列ブロック（Ｐ−ｔｏ−Ｓ）２２０、サイクルプレフィックス追加ブロック２２５、アップコンバータ（ＵＣ：ｕｐ−ｃｏｎｖｅｒｔｅｒ）２３０で構成される。
【００４７】
加入者ステーション１１６は、ダウンコンバータ（ＤＣ：Ｄｏｗｎ  Ｃｏｎｖｅｒｔｅｒ）２２５、サイクルプレフィックス除去ブロック２６０、直列並列ブロック２６５、大きさＮ高速フーリエ変換（ＦＦＴ：Ｆａｓｔ  Ｆｏｕｒｉｅｒ  Ｔｒａｎｓｆｏｒｍ）ブロック２７０、並列直列ブロック２７５及びチャンネルデコーディング及び復調ブロック２８０で構成される。
【００４８】
前記図２ａ及び図２ｂのいくつかの要素はソフトウェアで具現されてもよく、他の要素は設定可能なハードウェア又はソフトウェアと設定可能なハードウェアの組み合わせで具現されてもよい。特に、本発明のＦＦＴブロック及びＩＦＦＴブロックは、構成可能なソフトウェアのアルゴリズムで具現されてもよい。ここで、大きさＮは具現の状況によって変更されてもよい。
【００４９】
さらに、本発明の実施の形態ではＦＦＴ及びＩＦＦＴを具現するが、これが図示が目的であり、本発明の範囲を制限してはいけない。本発明の他の実施の形態では、ＦＦＴ機能及びＩＦＦＴ機能はそれぞれＤＦＴ（Ｄｉｓｃｒｅｔｅ  Ｆｏｕｒｉｅｒ  Ｔｒａｎｓｆｏｒｍ）機能及びＩＤＦＴ（Ｉｎｖｅｒｓｅ  Ｄｉｓｃｒｅｔｅ  Ｆｏｕｒｉｅｒ  Ｔｒａｎｓｆｏｒｍ）機能に変更されてもよい。
【００５０】
ＤＦＴ又はＩＤＦＴ機能に対し、Ｎ変数の値はある定数（例えば、１、２、３、４）であってもよい。一方、ＦＦＴとＩＦＦＴの機能において、Ｎ変数の値は２の累乗（ｐｏｗｅｒ  ｏｆ  ｔｗｏ）であるある定数（例えば、１、２、４、８、１６）であってもよい。
【００５１】
基地局１０２において、チャンネルコーディング及び変調ブロック２０５は情報ビットの集合を受信し、コーディング（例えば、ターボコーディング）を行う。そして周波数ドメイン変調シンボルのシーケンスを生成するため、入力ビットに対し変調（例えば、ＱＰＳＫ（Ｑｕａｄｒａｔｕｒｅ  Ｐｈａｓｅ−Ｓｈｉｆｔ  Ｋｅｙｉｎｇ）、ＱＡＭ（Ｑｕａｄｒａｔｕｒｅ  Ａｍｐｌｉｔｕｄｅ  Ｍｏｄｕｌａｔｉｏｎ））を行う。
【００５２】
直列並列ブロック２１０は、Ｎ並列シンボルストリームを生成するために直列変調されたシンボルを並列データに変換する（例えば、多重化する）。ここでＮはＩＦＦＴ／ＦＦＴの大きさであり、基地局１０２及び加入者ステーション１１６で使用される。
【００５３】
大きさＮＩＦＦＴブロック２１５は、Ｎ並列シンボルストリームに対して時間ドメイン出力信号を生成するためにＩＦＦＴ動作を行う。並列直列ブロック２２０は、直列時間ドメイン信号に生成するために大きさＮＩＦＦＴブロック２１５からの並列時間ドメイン出力シンボルを変換する（例えば、多重化する）。サイクルプレフィックス追加ブロック２２５は、サイクルプレフィックスを時間ドメイン信号に追加する。最終的に、アップコンバータ２３０は、サイクルプレフィックス追加ブロック２２５の出力を、無線チャンネルを介して伝送するためにＲＦ周波数に変調する（例えば、アップコンバーティングする）。信号はＲＦ周波数にコンバーティングされる前に基底帯域でフィルタリングされてもよい。
【００５４】
伝送されたＲＦ信号は、無線チャンネルを通過した後、加入者ステーション１１６に到着する。そして基地局１０２で行われた動作の逆過程を行う。
【００５５】
ダウンコンバータ２２５は受信した信号を基底帯域周波数にダウンコンバーティングし、サイクルプレフィックス除去ブロック２５０は、直列時間ドメイン基底帯域信号を生成するためにサイクルプレフィックスを除去する。
【００５６】
直列並列ブロック２６５は、時間ドメイン基底帯域信号を並列時間ドメイン信号に変換する。大きさＮＦＦＴブロック２７０は、Ｎ並列周波数ドメイン信号を生成するためにＦＦＴアルゴリズムを行う。並列直列ブロック２７５は、並列周波数ドメイン信号を変調されたデータシンボルのシーケンスに変換する。
【００５７】
チャンネルデコーディング及び復調ブロック２８０は、復調過程を行って変調されたシンボルを元々の入力データストリームに戻すためにデコーディングを行う。
【００５８】
それぞれの基地局１０１〜１０３が、ダウンリンクにおける加入者ステーション１１１〜１１６に伝送する伝送経路を具現することができる。そしてアップリングにおける加入者ステーション１１１〜１１６から受信する受信経路を具現することができる。
【００５９】
同じく、それぞれの加入者ステーション１１１〜１１６は、アップリンクにおいて基地局１０１〜１０３に伝送する構造に相応する伝送経路を具現することができる。そして、ダウンリングにおける基地局１０１〜１０３から受信する構造に相応する受信経路を具現することができる。
【００６０】
本発明は、移動端末がアイドルモードにおけるページングメッセージをモニタリングするのにかかる時間を減らすシステム及びその方法を説明する。
【００６１】
図３は、本発明の実施の形態によるページング制御機の動作を示す図である。
【００６２】
前記図３を参照すると、ページングネットワーク３０１は、第１ページング領域３０３及び第２ページング領域３０５を有する。ページング制御機３０７は、第１ページング領域３０３に位置した移動端末３０９〜３１３がアイドルモードに進入する際、移動端末３０９〜３１３それぞれに固有の臨時ページングＩＤ（Ｔｅｍｐｏｒａｒｙ＿ＩＤ）を割り当てる。
【００６３】
ページング制御機３０７は、移動端末３０９〜３１３にページングメッセージを基地局３１５〜３２１を介して伝送する。ページング制御機３０７は、同じページンググループＩＤ（ＰＧ−ＩＤ）を利用して、ページングメッセージを第１ページング領域３０３にある移動端末３０９〜３１３に伝送する。
【００６４】
移動端末３０９〜３１３それぞれはページングされているかを決定するために、同じページンググループＩＤ下で自らの固有のＴｅｍｐｏｒａｒｙ＿ＩＤを検索する。
【００６５】
本発明の実施の形態における移動端末３０９〜３１３は、第１ページング領域３０３内で同じページンググループＩＤが第１ページング領域３０３の全ての基地局３１５〜３２１で使用されるため、位置更新なしに一つの基地局から他の基地局へ移動することができる（例えば、基地局３１５から基地局３１９へ）。
【００６６】
例えば、移動端末が第１ページング領域３０３を離れて第２ページング領域３０５に進入すると、移動端末は第２ページング領域３０５で使用される他のページンググループＩＤを検出する。前記他のページンググループＩＤは、移動端末に、前記移動端末が第１ページング領域３０３を離れて新たなページング領域に進入することを知らせる。新たなページンググループＩＤは、移動端末への位置更新が必要であることを知らせる。
【００６７】
本発明の実施の形態において、基地局３１７は第１ページング領域３０３及び第２ページング領域３０５の両方にかかっている。このような場合、基地局３１７はページンググループＩＤを第１ページング領域３０３及び第２ページング領域３０５の両方に伝送することができる。第２ページング領域３０５のためのページンググループＩＤは、更に他のページング制御機のために制御されてもよく、ページング制御機３０７を介して制御されてもよい。
【００６８】
一方、他の実施の形態によって、本発明のページング制御機３０７は環境又は状況に応じて基地局に含まれてもよく、また基地局制御機に含まれてもよい。
【００６９】
図４は、本発明の実施の形態による臨時ページングＩＤを生成して使用する方法を示すフローチャートである。
【００７０】
前記図４を参照すると、コアネットワーク（特に、ページング領域でのページング制御機）は、ページング領域にアイドルモードに進入する移動端末があるかを決定する（ステップ４０１）。
【００７１】
ページング領域においてアイドルモードに進入する移動端末がある場合、ページング制御機はＴｅｍｐｏｒａｒｙ＿ＩＤをアイドルモードに進入する移動端末に割り当てる。ページング領域にＮ個のページングサブグループがあり、ここで各サブグループは、ほぼ同じ数のアイドルモードの移動端末を有している（ステップ４０３）。
【００７２】
もし、ページング領域においてアイドルモードに進入する移動端末がない場合、本発明の方法は下記で説明するステップ４０７に進行する。  
【００７３】
ページング制御機は、各サブグループがほぼ同じ数のアイドルモードの移動端末を有している限り、Ｔｅｍｐｏｒａｒｙ＿ＩＤをアイドルモードへの進入を要請する移動端末に割り当てる。例えば、ページング領域が４つのページングサブグループを有し、１０，０００個のアイドルモードの移動端末を有している場合、Ｔｅｍｐｏｒａｒｙ＿ＩＤは２４ビットである。
【００７４】
本発明の実施の形態において、ページング制御機は第１Ｔｅｍｐｏｒａｒｙ＿ＩＤ、０ｘ００００００をアイドルモードへの進入を要請する第１移動端末に割り当て、第２Ｔｅｍｐｏｒａｒｙ＿ＩＤ、０ｘ０００００１をアイドルモードへの進入を要請する第１１移動端末に割り当て、第１１Ｔｅｍｐｏｒａｒｙ＿ＩＤ、０ｘ０００００Ａをアイドルモードへの進入を要請する第１１移動端末に割り当てる方法を使用することで、ほぼ同じ大きさのサブグループを生成することができる。
【００７５】
従って、新たなＴｅｍｐｏｒａｒｙ＿ＩＤが必要となるたびに、ページング制御機は最新のＴｅｍｐｏｒａｒｙ＿ＩＤを一つ増加させ、新たなＴｅｍｐｏｒａｒｙ＿ＩＤをアイドルモードへの進入を要請する新たな移動端末に割り当てる。
【００７６】
もし、Ｔｅｐｏｒａｒｙ＿ＩＤ  ｍｏｄｕｌｏ４がｎと同じである場合（例えば、ｎ＝０、１、２、３）、移動端末はサブグループｎに属する。このような場合、各サブグループは、ちょうど２，５００個のアイドルモードの移動端末を有する。
【００７７】
本発明の更に他の実施の形態において、ページング制御機は、Ｔｅｍｐｏｒａｒｙ＿ＩＤの最後の２ビットで００、０１、１０、１１を循環し、ランダムに更に高い２２ビット（ｔｈｅ  ｈｉｇｈｅｒ  ２２ｂｉｔ）に対する値を選択することで、ほぼ同じ大きさのサブグループを生成することができる。
【００７８】
このような実施の形態においては、もし２４ビットのＴｅｍｐｏｒａｒｙ＿ＩＤが既に存在しているアイドルモードの移動端末に割り当てられた場合、ページング制御機は新たなＴｅｍｐｏｒａｒｙ＿ＩＤがページング領域に対して固有になるまで、ランダムに更に他の２２ビット値を選択する。
【００７９】
このような実施の形態は２つの目的を達成することができる。最初に、各移動端末はほぼランダムなＴｅｍｐｏｒａｒｙ＿ＩＤを有する。前記ほぼランダムなＴｅｍｐｏｒａｒｙ＿ＩＤは、移動端末のｉｄｅｎｔｉｔｙを隠すのに好ましい。次に、以前の方法と類似して、ページングサブグループの移動端末の数の差が０、１、−１となる。
【００８０】
割り当てられたＴｅｍｐｏｒａｒｙ＿ＩＤは、ページング領域を離れた移動端末から復旧したＴｅｍｐｏｒａｒｙ＿ＩＤから生成される。例えば、復旧されたＴｅｍｐｏｒａｒｙ＿ＩＤがある場合、ページング制御機は復旧されたＴｅｍｐｏｒａｒｙ＿ＩＤを移動端末に割り当てることができる（ステップ４０３）。また他の実施の形態では、復旧されたＴｅｍｐｏｒａｒｙ＿ＩＤがある場合、ページング制御機は復旧されたＴｅｍｐｏｒａｒｙ＿ＩＤの下位２ビットを使用することができる。そして移動端末に割り当てる固有の擬似ランダムなＴｅｍｐｏｒａｒｙ＿ＩＤを生成するため、更に高い２２ビットをランダムに選択することができる（ステップ４０３）。
【００８１】
Ｔｅｍｐｏｒａｒｙ＿ＩＤを生成した後、ページング制御機はＴｅｍｐｏｒａｒｙ＿ＩＤを、移動端末に、前記移動端末と現在通信中の基地局を介して割り当てる（伝送する）（ステップ４０５）。
【００８２】
本発明の実施の形態において、ページング制御機が、移動端末がページング領域を離れたことを知った場合（ステップ４０７）、前記ページング制御機は移動端末のＴｅｍｐｏｒａｒｙ＿ＩＤを復旧することができる。そして、アイドルモードへの進入を要請する移動端末に前記Ｔｅｍｐｏｒａｒｙ＿ＩＤを割り当てることができる。また更に他の実施の形態において、ページング制御機は、前記ページング領域を離れた移動端末のＴｅｍｐｏｒａｒｙ＿ＩＤの最後の２ビットを復旧することができる（ステップ４０９）。
【００８３】
図５は、本発明の実施の形態によるページング移動端末が、ページングの領域における臨時ページングＩＤを使用する方法を示すフローチャートである。
【００８４】
前記図５を参照すると、ページング領域の基地局は、ページング制御機から移動端末と関連した臨時ページングＩＤを受信する（ステップ５０１）。そして各ページングサイクルにおけるページング機会又はフレームのシングルインデックスを決定する（ステップ５０３）。前記シングルインデックスは、少なくとも部分的に、受信した臨時ページング識別子に基づく。
【００８５】
前記基地局は、ページングサイクルのページング機会又はフレームのインデックスｎでだけ移動端末に対する臨時ページングＩＤを伝送する（ステップ５０５）。
【００８６】
ここで、ｎ＝ＭＳ  Ｔｅｍｐｏｒａｒｙ＿ＩＤ％Ｎである。本発明において、％はモジュロ演算（Ｍｏｄｕｌｏ  Ｏｐｅｒａｔｉｏｎ）を示す。
【００８７】
ページングサイクルは、スーパーフレームの数（ａ  ｎｕｍｂｅｒ  ｏｆ  ｓｕｐｅｒｆｒａｍｅｓ）で構成される。ＭＯＢ＿ＰＡＧ−ＡＤＶ（）放送インターバルは、ページングサイクルにおいてＮ個の連続したフレーム又はページング機会であり、定数ｎは０からＮ−１の範囲である。
【００８８】
従って、ＭＯＢ＿ＰＡＧ−ＡＤＶ（）メッセージの数は、Ｎ個の連続したフレームの内の各フレームにおいてせいぜい１つである。追加的に、もしＭＯＢ＿ＰＡＧ−ＡＤＶ（）がフレームの存在する場合、ＭＯＢ＿ＰＡＧ−ＡＤＶ（）は最初のＫサブフレームで放送される。
【００８９】
結果的に、基地局が移動端末をＴｅｍｐｏｒａｒｙ＿ＩＤを利用してページングするならば、基地局はＴｅｍｐｏｒａｒｙ＿ＩＤ％ＮのフレームにおいてＭＯＢ＿ＰＡＧ−ＡＤＶ（）を伝送する。即ち、ページング機会のインデックスはＴｅｍｐｏｒａｒｙ＿ＩＤ％Ｎと同じである。これは基地局がフレーム又はページング機会を移動端末に均一に分配することを許可する。
【００９０】
図６は、本発明の実施の形態によるページングメッセージをモニタリングする方法を示すフローチャートである。
【００９１】
前記図６を参照すると、上述したように、ページングサイクルの間伝送されるＭＯＢ＿ＰＡＧ−ＡＤＶ（）がある場合、基地局はページングサイクルでＴｅｍｐｏｒａｒｙ＿ＩＤ％Ｎと同じフレーム番号でＭＯＢ＿ＰＡＧ−ＡＤＶ（）を伝送する。移動端末は、ページングメッセージをモニタリングするための各ページングサイクルにおけるページング機会又はフレームのシングルインデックスを決定する（ステップ６０１）。
【００９２】
前記シングルインデックスは、少なくとも部分的に、受信した臨時ページング識別子に基づく。従って、各ページングサイクルの始まりの部分で、移動端末は自動的にどのフレームからＭＯＢ＿ＰＡＧ−ＡＤＶ（）を探しているかが分かる。なぜなら、移動端末はページングサイクルにおけるページング機会又はフレームのインデックスｎから伝送されたページングメッセージだけをモニタリングするためである。ここで、ｎはＭＳＴｅｍｐｏｒａｒｙ＿ＩＤ％Ｎである（ステップ６０３）。
【００９３】
もし、移動端末がページングされない場合（ステップ６０５）、移動端末はページング不可用インターバルにスイッチングする（ステップ６０７）。もし、移動端末がページングされた場合（ステップ６０５）、移動端末はネットワークへの再進入を始める（ステップ６０９）。従って、移動端末は、各ページングサイクルにおいてＫサブフレームの間ページングリスニングウィンドウに留まらなければならない。本発明はページングメッセージを分配するため、大きなページングメッセージを伝送する確率を相当減少させることができる。
【００９４】
このような実施の形態は、アイドルモードにおける移動端末に対して相当な電力を節減することができ、位置更新手続きに影響を及ぼさない。
【００９５】
図７は、本発明の実施の形態によるページングサイクルにおけるページングメッセージの分配を示す図である。
【００９６】
前記図７を参照すると、一つのスーパーフレーム又は４つのフレームで構成されたＭＯＢ＿ＰＡＧ−ＡＤＶ（）放送インターバルが示されている。そしてＴｅｍｐｏｒａｒｙ＿ＩＤ（０ｘ０００００１０、１６）を有する移動端末７０１が示されている。
【００９７】
移動端末７０１が次のページングサイクルでページングされると、移動端末７０１のＴｅｍｐｏｒａｒｙ＿ＩＤを含むＭＯＢ＿ＰＡＧ−ＡＤＶ（）はフレーム１の最初のサブフレーム７０７で伝送される。なぜなら、０ｘ００００００％４＝０であるためである。
【００９８】
ここでフレームは、Ｔｅｍｐｏｒａｒｙ＿ＩＤ％４の動作の結果であるフレーム番号ｎに対するフレームに該当する。そして、Ｔｅｍｐｏｒａｒｙ＿ＩＤは、前記移動端末に割り当てられた臨時ページングＩＤである。
【００９９】
本発明の実施の形態において、移動端末７０３及び移動端末７０５のＴｅｍｐｏｒａｒｙ＿ＩＤはそれぞれ０ｘ００００００１、０ｘ００００００７である。従ってページングメッセージが存在するなら、移動端末７０３及び移動端末７０５に対するページングメッセージは、フレーム２，４の最初のサブフレーム７０９、７１１でそれぞれ伝送される。
【０１００】
本発明によると、移動端末は自動的にどのフレームでＭＯＢ＿ＰＡＧ−ＡＤＶ（）を探すべきかが分かる。もし、移動端末がページングされていない場合、移動端末はページング不可用インターバルにスイッチングする。もし、移動端末がページングされた場合、移動端末はネットワークへの再進入を始める。
【０１０１】
本発明の実施の形態において、移動端末７０１は図８に示されたように、各ページングサイクルで一つのサブフレーム７０７に対するＰＬＩに留まらなければならない。
【０１０２】
さらに、明示的（ｅｘｐｌｉｃｔ）なシグナリングなしに、移動端末は、自動的に各ページングサイクルの間どのフレーム（詳しくはサブフレーム）で移動端末がページングされるのかをモニタリングすべきかが分かる。従って、ページングインジケータ、位置インジケータ又はラストページングインジケータを必要としない。
【０１０３】
図８に示されたように、移動端末は、効率的な電力の消費のため、各ページングサイクルでいくつかのサブフレームの間起きていなければならない。
【０１０４】
セル内で、基地局は同一な距離の（ｅｑｕａｌｌｙ  ｄｉｓｔａｎｃｅｄ）、いくつかのページング機会で移動端末をページングする。通常、同じ数の端末がそれぞれのページング機会で移動端末をページングする。ほぼ同じ数の移動端末がそれぞれのページング機会でページングされる。
【０１０５】
これは、自然に、アップリングアクセスのために移動端末がページングされた後、移動端末を配置できるようにする。そしてこれはアップリングアクセスでの混雑（ｃｏｎｇｅｓｔｉｏｎ）を減少させるか、避けるようにする。
【０１０６】
本発明は、スーパーフレーム、フレーム及びサブフレームを利用したページング機会を図示している。本発明はページング機会の大きさ（ｓｃａｌｅ）に制限されない。
【０１０７】
例えば、図７及び図８のページング機会は、好ましい場合、特にアップリングアクセス機会の割り当てと分配を考えると、スーパーフレームの数ほど距離がある可能性がある（ｄｉｓｔａｎｃｅｄ）。
【０１０８】
もし、移動端末がページングメッセージをデコーディングすることができなければ、移動端末はアイドル状態に再び戻る。そして基地局は次のページング区間に前記移動端末を再びページングする。もちろん、他の失敗の復旧メカニズムが使用されてもよい。どのような場合でも、基地局と移動端末の間における同期化の損失（ｌｏｓｓ  ｏｆ  ｓｙｎｃｈｒｏｎｉｚａｔｉｏｎ）はない。
【０１０９】
更に、２つのページング領域において移動する端末は、位置更新をする必要がないよう、各ページング領域に対する臨時ページングＩＤを割り当てられてもよい。
【０１１０】
理想的には、移動端末が２つの臨時ページングＩＤを一つのページング機会にモニタリングできるようにするため、２つのページングＩＤが生成される。このため、このような２つの臨時ページングＩＤ％Ｎは互いに同じ値である。
【０１１１】
同じ臨時ページングＩＤは、移動端末が２つのサブフレームをモニタリングしなくするため、各ページングサイクルにおいて、そして両方の（ｂｏｔｈ）ページング領域において移動端末が電力を節減できるように使用されてもよい。
【０１１２】
一方、本発明の詳細な説明では具体的な実施の形態について説明したが、本発明の範囲を逸脱しない範囲内で様々な変形がかのうであることはもちろんである。従って、本発明の範囲は説明された実施の形態に限らず、後述する特許請求の範囲だけでなく、この特許請求の範囲と均等なものによって決まらなければならない。
【符号の説明】
【０１１３】
１００  無線ネットワーク
１０１〜０３  基地局
１１１〜１１６  加入者ステーション
１２０、１２５  カバレッジ領域
１３０  インターネット
【図１】
2011527547.tif 000003
【図２】
2011527547.tif 000004
【図３】
2011527547.tif 000005
【図４】
2011527547.tif 000006
【図５】
2011527547.tif 000007
【図６】
2011527547.tif 000008
【図７】
2011527547.tif 000009
【図８】
2011527547.tif 000010
【手続補正書】
【提出日】平成23年2月1日(2011.2.1)
【手続補正１】
【補正対象書類名】明細書
【補正対象項目名】全文
【補正方法】変更
【補正の内容】
【発明の詳細な説明】
【技術分野】
【０００１】
本発明は無線通信システムに関し、特に向上したアイドルモード（Ｉｄｌｅ  Ｍｏｄｅ）の設計に関する。
【背景技術】
【０００２】
アイドルモードの動作は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｅに記述されている。移動端末（ＭＳ：Ｍｏｂｉｌｅ  Ｓｔａｔｉｏｎ）及び基地局（ＢＳ：Ｂａｓｅ  Ｓｔａｔｉｏｎ）は、それぞれＤＲＥＧ−ＲＥＱ及びＤＲＥＧ−ＣＭＤメッセージを利用してアイドルモードを始める。
【０００３】
移動端末がアイドルモードに進入した後、移動端末はページングサイクル、ページングオフセット、ページングリスニング区間（Ｐａｇｉｎｇ  Ｌｉｓｔｅｎｉｎｇ  Ｉｎｔｅｒｖａｌ）及びページング不可用区間（Ｐａｇｉｎｇ  Ｕｎａｖａｉｌａｂｌｅ  Ｉｎｔｅｒｖａｌ）のために固定されたパラメータを利用する。
【０００４】
もし、移動端末がページングされた場合、前記移動端末はコードに基づいたレインジング（Ｃｏｄｅ  Ｂａｓｅｄ  Ｒａｎｇｉｎｇ）及びＲＮＧ−ＲＥＱ／ＲＳＰメッセージを利用して無線アクセスネットワークに再進入する。移動端末は新たなページング領域に進入する場合、位置更新を行う。
【０００５】
ＩＥＥＥ８０２．１６ｅのアイドルモード設計において注意すべきことは、ページングメッセージの正確な位置が予め決まっていないということである。従って、移動端末は、全体のページングリスニングインターバル（ＰＬＩ：Ｐａｇｉｎｇ  Ｌｉｓｔｅｎｉｎｇ  Ｉｎｔｅｒｖａｌ）の検索の間、ページングメッセージ（例えば、ＭＯＢ＿ＰＡＧ−ＡＤＶ（）メッセージ）のために起きている状態を維持しなければならない。前記ページングメッセージは、移動端末がアイドルモードに進入する前に割り当てられたページンググループアイデンティティ（ＰＧＩＤ：Ｐａｇｉｎｇ  Ｇｒｏｕｐ  Ｉｄｅｎｔｉｔｙ）を含む。
【０００６】
ＩＥＥＥ８０２．１６ｅでは、アイドルモードの設計を向上させるため、様々は試みを行ってきた。
【０００７】
その中の一つの試みは、クイックページングインジケータ（Ｑｕｉｃｋ  Ｐａｇｉｎｇ  Ｉｎｄｉｃａｔｏｒ）を使用することである。このような設計で、移動端末は最初にこのようなページングインジケータがポジティブ（Ｐｏｓｉｔｉｖｅ）であるか否かを検査する。もし前記ページングインジケータがネガティブ（Ｎｅｇａｔｉｖｅ）である場合、前記移動端末はそれ以上リスニング（Ｌｉｓｔｅｎ）せず、直ちにページング不可用区間に戻る。
【０００８】
もし、ページングインジケータがポジティブである場合、前記移動端末は起きている状態を維持したまま、移動端末がページングされるか否かを知るためにページングメッセージを検索する。
【０００９】
このような設計において注意すべきことは、クイックページングインジケータの正確性（Ｆｉｎｅｎｅｓｓ）である。言い換えると、クイックページングインジケータは多くのヘルプを要しない。なぜなら、ページングインジケータは、アイドルモードにおける移動端末がたくさん存在すれば大部分の時間の間ポジティブであるためであり、このような移動端末のうち一つでもページングされる必要があればインジケータはポジティブであるためである。
【００１０】
また他の試みは、ページングメッセージを更に小さいいくつかのメッセージに分けることである。なぜなら、ＭＯＢ＿ＰＡＧ−ＡＤＶ（）は、一つのメッセージだけによってページングサイクルの全ての移動端末に送信するには大きさが大きすぎるためである。
【００１１】
このような設計では、ラストページングインジケータ（ＬＰＩ：Ｌａｓｔ  Ｐａｇｉｎｇ  Ｉｎｄｉｃａｔｏｒ）が該当ページングサイクルにそれ以上ページングメッセージがないとことを表す場合、移動端末がＰＬＩを直ちに中止できるようにそれぞれのメッセージにＬＰＩを含ませる。
【００１２】
また他の試みは、移動端末が全体のＰＬＩの間ページングメッセージに対する検索を義務的にする必要がないよう、ページングロケーションインジケータ（Ｐａｇｉｎｇ  Ｌｏｃａｔｉｏｎ  Ｉｎｄｉｃａｔｏｒ）を使用することである。
【００１３】
しかし、このような試み全ては、移動端末がＬＰＩ又はページングロケーションインジケータがページングサイクルのどの辺に位置するかを知るために、ｅｘｐｌｉｃｉｔなしシグナリングを要する。
【００１４】
従って、発展した無線通信システムにおいて、効果的にアイドルモードをハンドリングするためのシステム及び方法が必要となる。特に、例えばＩＥＥＥ８０２．１６ｍで要求されるように、効果的に消費電力を減らすアイドルモードハンドリングに対するシステム及び方法が必要となる。
【先行技術文献】
【特許文献】
【００１５】
【特許文献１】国際公開第２００７／０４７７５１号
【特許文献２】国際公開第２００７／１０７１２１号
【発明の概要】
【課題を解決するための手段】
【００１６】
本発明の目的を達成するための本発明の第１見地によると、ネットワークのカバレッジ領域内における多数の基地局と通信が可能な多数のページング制御機を含む無線通信ネットワークにおいて、少なくとも一つのページング制御機はページング領域内の移動端末がアイドルモードに進入することを要請すれば、アイドルモードの移動端末の識別用ページング識別子（ｉｄｅｎｔｉｆｉｃａｔｉｏｎ）を前記移動端末に割り当て、前記アイドルモードの移動端末の識別用ページング識別子を前記移動端末と通信する基地局に伝送して前記アイドルモードの移動端末の識別用ページング識別子はページング機会又はフレームのインデックスを決定するためのページングサイクルにおいて、ページングメッセージを伝送するために前記基地局によって使用されることを特徴とする無線通信ネットワーク。
【００１７】
本発明の目的を達成するための本発明の第２見地によると、ネットワークのカバレッジ領域内で多数の基地局と無線通信が可能なページング制御機において、前記ページング制御機は、もし移動端末がページング領域内でアイドルモードへの進入を要請する場合、アイドルモードの移動端末の識別用ページング識別子を前記移動端末に割り当て、前記アイドルモードの移動端末の識別用ページング識別子を前記移動端末と通信する基地局に送信し、前記アイドルモードの移動端末の識別用ページング識別子は、前記移動端末に対するページングメッセージを伝送するためのページングサイクルにおける機会又はフレームのインデックスを決定するために前記基地局によって使用されることを特徴とするページング制御機。
【００１８】
本発明の目的を達成するための本発明の第３見地によると、ページング制御機の動作方法において、もし移動端末がページング領域内でアイドルモードへの進入を要請する場合、アイドルモードの移動端末の識別用ページング識別子を前記移動端末に割り当てる過程と、前記アイドルモードの移動端末の識別用ページング識別子を前記移動端末と通信する基地局に伝送する過程と、を含み、前記アイドルモードの移動端末の識別用ページング識別子は、前記移動端末に対するページングメッセージを伝送するためのページングサイクルにおいて、ページング機会又はフレームのインデックスを決定するために前記基地局によって使用されることを特徴とする方法。
【００１９】
本発明の目的を達成するための第４の見地によると、ページング制御機の動作方法において、もし移動端末がページング領域内でアイドルモードへの進入を要請する場合、アイドルモードの移動端末の識別用ページング識別子を前記移動端末に割り当てる過程と、前記アイドルモードの移動端末の識別用ページング識別子を前記移動端末と通信する基地局へと伝送する過程と、を含み、前記アイドルモードの移動端末の識別用ページング識別子は、前記移動端末に対するページングメッセージを伝送するためのページングサイクルでページング機会又はフレームのインデックスを決定するため、前期基地局によって使用されることを特徴とする方法。
【００２０】
本発明の目的を達するための本発明の第５見地によると、ネットワークのカバレッジの領域内における多数の加入者ステーション（ｓｕｂｓｃｒｉｂｅｒ  ｓｔａｔｉｏｎ）と通信可能な多数の基地局において、多数の基地局のうち少なくとも一つの基地局はアイドルモードの移動端末の識別用ページング識別子をページング制御機から受信するが、前記アイドルモードの移動端末の識別用ページング識別子はアイドルモードへの進入を要請する移動端末と関連され、前記ページング識別子を使用する移動端末に対するページングメッセージを伝送するページングサイクルにおいて、ページング機会又はフレームのインデックスに決定することを特徴とする基地局。
【００２１】
本発明の目的を達成するための本発明の第６見地によると、基地局の動作方法において、アイドルモードの移動端末の識別用ページング識別子をページング制御機から受信する過程を含むが、前記アイドルモードの移動端末の識別用ページング識別子は、アイドルモードへの進入を要請する移動端末と関連され、前記アイドルモードの移動端末の識別用ページング識別子を使用する移動端末に対するページングメッセージを伝送するページングサイクルにおいて、ページング機会又はフレームのインデックスを決定する過程を含むことを特徴とする方法。
【００２２】
本発明の目的を達成するための本発明の第７見地によると、移動端末において、各ページングサイクルにおけるページングメッセージをモニターするためにページング機会又はフレームのシングルインデックスを決定するが、前記シングルインデックスは少なくとも部分的に前記移動端末に割り当てられたアイドルモードの移動端末の識別用ページング識別子に基づき、前記シングルインデックスのページング機会又はフレームでだけページングメッセージをモニタリングすることを特徴とする移動端末。
【００２３】
後述する本発明の実施の形態のための具体的な内容の前に、本発明全般に渡って使用される単語及び文句の定義を説明しておくことが好ましい。本発明で使用される「含む」という単語は、これと類似な単語の意味を含む。例えば、「有する」などの意味を含む。他の単語もこれと同じである。
【００２４】
本発明における制御機は、ある装置、少なくとも一つの動作を制御するシステム又はパーツを意味する。そして前記制御機はハードウェア、ファームウェア、ソフトウェア又はこれらの組み合わせで具現されることができる。また、前記制御機の機能は、中央集中処理の形であるか、分散処理の形であってもよい。また、これは遠隔的又は地域的であってもよい。
【００２５】
本発明で使用される文句又は単語に対するに理解に当たって、当業者は以前の技術及び未来の技術に対しても本発明の概念を適用できるように理解するはずである。
【発明の効果】
【００２６】
本発明は、ページングメッセージを分配するため、大きなページングメッセージを伝送する確率を相当減少させることができるので、アイドルモードにおける移動端末に対して相当な電力の節減ができ、位置更新手続きに影響を及ぼさないという利点がある。
【図面の簡単な説明】
【００２７】
【図１】図１は、本発明の実施の形態によるアップリングにおけるメッセージを伝送する無線ネットワークを示す図である。
【図２】図２ａは、本発明の実施の形態によるハイレベル（Ｈｉｇｈ−Ｌｅｖｅｌ）のＯＦＤＭＡ伝送機を示す図であり、かつ、図２ｂは、本発明の実施の形態のよるハイレベルのＯＦＤＭＡ受信機を示す図である。
【図３】図３は、本発明の実施の形態によるページング制御機の動作を示す図である。
【図４】図４は、本発明の実施の形態によるアイドルモードの移動端末の識別用ページングＩＤを生成して使用する方法を示すフローチャートである。
【図５】図５は、本発明の実施の形態によるページング移動端末が、ページング領域でアイドルモードの移動端末の識別用ページングＩＤを使用する方法を示すフローチャートである。
【図６】図６は、本発明の実施の計値アによるページングメッセージをモニタリングする方法を示すフローチャートである。
【図７】図７は、本発明の実施の形態によるページングサイクルにおけるページングメッセージの分配を示す図である。
【図８】図８は、本発明の実施の形態もよつページングサイクルにおける移動端末のページングリスニングインターバルを示す図である。
【発明を実施するための形態】
【００２８】
以下、本発明の好ましい実施の形態を添付した図面を参照しながら具体的に説明する。そして、本発明を説明するに当たって、関連した公知機能又は構成に対する具体的な説明が本発明の要旨を不明確にする恐れがあると判断される場合、その詳細な説明は省略する。
【００２９】
後述する図１から図８まで、そして本発明の原則を説明するための多様な実施の形態は本発明を説明するためのものであり、これらのために本発明の範囲が制限されてはいけない。当業者は本発明の原則を理解できるはずであり、適切なあらゆる無線通信システムにおいてでも本発明の具現が可能であることはもちろんである。
【００３０】
図１は、本発明の実施の形態によるアップリンクにおけるメッセージを伝送する無線ネットワークを示す図である。
【００３１】
前記図１を参照すると、無線ネットワーク１００は、本発明の原則に従ってメッセージを伝送する。本発明の実施の形態では、無線ネットワーク１００は基地局１０１、１０２、１３０と、そして図示されていないが、他の類似した基地局と、を含む。
【００３２】
基地局１０１が、基地局１０２及び基地局１０３と通信する。基地局１０１はまた、インターネット１３０又は図示されていないがこれと類似したＩＰ（Ｉｎｔｅｒｎｅｔ  Ｐｒｏｔｏｃｏｌ）に基づいたネットワークと通信する。
【００３３】
基地局１０２は、基地局１０１を介して基地局１０２のカバレッジ領域１２０内の第１加入者ステーション（ｓｕｂｓｃｒｉｂｅｒ  ｓｔａｔｉｏｎ）にインターネット１３０などへの無線広帯域接続を提供する。
【００３４】
第１加入者ステーションは、小規模ビジネス（ＳＢ：Ｓｍａｌｌ  Ｂｕｓｉｎｅｓｓ）に位置した加入者ステーション１１１、企業（Ｅ：ｅｎｔｅｒｐｒｉｓｅ）に位置した加入者ステーション１１２、ＷｉＦｉホットスポット（ＨＳ：Ｈｏｔ  Ｓｐｏｔ）に位置した加入者ステーション１１３、第１居住地（Ｒ：Ｒｅｓｉｄｅｎｃｅ）に位置した加入者ステーション１１４、第２居住地に位置した加入者ステーション１１５及びセルラーフォン、無線ラップトップ、無線ＰＤＡ（Ｐｅｒｓｏｎａｌ  Ｄｉｇｉｔａｌ  Ａｓｓｉｓｔａｎｃｅ）などのような移動装置（Ｍｏｂｉｌｅ  Ｄｅｖｉｃｅ）であってよい加入者ステーション１１６を含む。
【００３５】
基地局１０３は、基地局１０１を介して基地局１０３のカバレッジ領域１２５内の第２加入者ステーションにインターネット１３０への無線広帯域接続を提供する。第２加入者ステーションは、加入者ステーション１１５及び加入者ステーション１１６を含む。
【００３６】
本発明の実施の形態では、基地局１０１〜１０３は互いに通信してもよく、加入者ステーション１１１〜１１６とＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）又はＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）を利用して通信してもよい。
【００３７】
基地局１０１は、更に多くの基地局又は更に少ない基地局と通信してもよい。さらに、６つの加入者ステーションだけが図１に示されているが、無線ネットワーク１００は無線広帯域接続を追加的な加入者ステーションに提供してもよい。
【００３８】
加入者ステーション１１５及び加入者ステーション１１６は、カバレッジ領域１２０及びカバレッジ領域１２５の両方の端に位置している。加入者ステーション１１５及び加入者ステーション１１６は、それぞれ基地局１０２及び基地局１０３と通信し、ハンドオフモードで動作するといえる。
【００３９】
加入者ステーション１１１〜１１６は、音声、データ、ビデオ、ビデオ会議（ｖｉｄｅｏ  ｃｏｎｆｅｒｅｎｃｉｎｇ）及び／又は更に他の広帯域サービスをインターネット１３０を介して接続することができる。
【００４０】
本発明の実施の形態では、一つ又はそれ以上の加入者ステーション１１１〜１１６がＷｉＦｉ  ＷＬＡＮ（Ｗｉｒｅｌｅｓｓ  Ｌｏｃａｌ  Ａｒｅａ  Ｎｅｔｗｏｒｋ）のアクセスポイント（ＡＰ：Ａｃｃｅｓｓ  Ｐｏｉｎｔ）にアソシエーション（ａｓｓｏｃｉａｔｉｏｎ）されてもよい。
【００４１】
加入者ステーション１１６は、無線使用が可能なラップトップコンピュータ、ＰＤＡ、ノートパソコン、携帯用デバイス（Ｈａｎｄｈｅｌｄ  Ｄｅｖｉｃｅ）又は更に他の無線使用が可能な装置のような多数の移動装置のうち一つであってもよい。
【００４２】
例えば、加入者ステーション１１４、１１５は、無線使用が可能なＰＣ（Ｐｅｒｓｏｎａｌ  Ｃｏｍｐｕｔｅｒ）、ラップトップコンピュータ、ゲートウェイ（ｇａｔｅｗａｙ）又は他の装置であってもよい。
【００４３】
図２ａは、本発明の実施の形態によるハイレベル（Ｈｉｇｈ−Ｌｅｖｅｌ）のＯＦＤＭＡ伝送機を示す図であり、図２ｂは、本発明の実施の形態によるハイレベルのＯＦＤＭＡ受信機を示す図である。
【００４４】
前記図２ａ及び図２ｂを参照すると、ＯＦＤＭＡ伝送経路は基地局１０２に、ＯＦＤＭＡ受信経路は加入者ステーション１１６に図示及び説明目的で具現されている。
【００４５】
しかし、当業者にはＯＦＤＭＡ受信経路を基地局１０２に、ＯＦＤＭＡ伝送経路を加入者ステーション１１６に具現してもよいことが分かる。
【００４６】
基地局１０２における伝送経路は、チャンネルコーディングと変調ブロック２０５、直列並列ブロック（Ｓ−ｔｏ−Ｐ）２１０、大きさＮ（Ｓｉｚｅ  Ｎ）逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）ブロック２１５、並列直列ブロック（Ｐ−ｔｏ−Ｓ）２２０、サイクルプレフィックス追加ブロック２２５、アップコンバータ（ＵＣ：ｕｐ−ｃｏｎｖｅｒｔｅｒ）２３０で構成される。
【００４７】
加入者ステーション１１６は、ダウンコンバータ（ＤＣ：Ｄｏｗｎ  Ｃｏｎｖｅｒｔｅｒ）２２５、サイクルプレフィックス除去ブロック２６０、直列並列ブロック２６５、大きさＮ高速フーリエ変換（ＦＦＴ：Ｆａｓｔ  Ｆｏｕｒｉｅｒ  Ｔｒａｎｓｆｏｒｍ）ブロック２７０、並列直列ブロック２７５及びチャンネルデコーディング及び復調ブロック２８０で構成される。
【００４８】
前記図２ａ及び図２ｂのいくつかの要素はソフトウェアで具現されてもよく、他の要素は設定可能なハードウェア又はソフトウェアと設定可能なハードウェアの組み合わせで具現されてもよい。特に、本発明のＦＦＴブロック及びＩＦＦＴブロックは、構成可能なソフトウェアのアルゴリズムで具現されてもよい。ここで、大きさＮは具現の状況によって変更されてもよい。
【００４９】
さらに、本発明の実施の形態ではＦＦＴ及びＩＦＦＴを具現するが、これが図示が目的であり、本発明の範囲を制限してはいけない。本発明の他の実施の形態では、ＦＦＴ機能及びＩＦＦＴ機能はそれぞれＤＦＴ（Ｄｉｓｃｒｅｔｅ  Ｆｏｕｒｉｅｒ  Ｔｒａｎｓｆｏｒｍ）機能及びＩＤＦＴ（Ｉｎｖｅｒｓｅ  Ｄｉｓｃｒｅｔｅ  Ｆｏｕｒｉｅｒ  Ｔｒａｎｓｆｏｒｍ）機能に変更されてもよい。
【００５０】
ＤＦＴ又はＩＤＦＴ機能に対し、Ｎ変数の値はある定数（例えば、１、２、３、４）であってもよい。一方、ＦＦＴとＩＦＦＴの機能において、Ｎ変数の値は２の累乗（ｐｏｗｅｒ  ｏｆ  ｔｗｏ）であるある定数（例えば、１、２、４、８、１６）であってもよい。
【００５１】
基地局１０２において、チャンネルコーディング及び変調ブロック２０５は情報ビットの集合を受信し、コーディング（例えば、ターボコーディング）を行う。そして周波数ドメイン変調シンボルのシーケンスを生成するため、入力ビットに対し変調（例えば、ＱＰＳＫ（Ｑｕａｄｒａｔｕｒｅ  Ｐｈａｓｅ−Ｓｈｉｆｔ  Ｋｅｙｉｎｇ）、ＱＡＭ（Ｑｕａｄｒａｔｕｒｅ  Ａｍｐｌｉｔｕｄｅ  Ｍｏｄｕｌａｔｉｏｎ））を行う。
【００５２】
直列並列ブロック２１０は、Ｎ並列シンボルストリームを生成するために直列変調されたシンボルを並列データに変換する（例えば、多重化する）。ここでＮはＩＦＦＴ／ＦＦＴの大きさであり、基地局１０２及び加入者ステーション１１６で使用される。
【００５３】
大きさＮＩＦＦＴブロック２１５は、Ｎ並列シンボルストリームに対して時間ドメイン出力信号を生成するためにＩＦＦＴ動作を行う。並列直列ブロック２２０は、直列時間ドメイン信号に生成するために大きさＮＩＦＦＴブロック２１５からの並列時間ドメイン出力シンボルを変換する（例えば、多重化する）。サイクルプレフィックス追加ブロック２２５は、サイクルプレフィックスを時間ドメイン信号に追加する。最終的に、アップコンバータ２３０は、サイクルプレフィックス追加ブロック２２５の出力を、無線チャンネルを介して伝送するためにＲＦ周波数に変調する（例えば、アップコンバーティングする）。信号はＲＦ周波数にコンバーティングされる前に基底帯域でフィルタリングされてもよい。
【００５４】
伝送されたＲＦ信号は、無線チャンネルを通過した後、加入者ステーション１１６に到着する。そして基地局１０２で行われた動作の逆過程を行う。
【００５５】
ダウンコンバータ２２５は受信した信号を基底帯域周波数にダウンコンバーティングし、サイクルプレフィックス除去ブロック２５０は、直列時間ドメイン基底帯域信号を生成するためにサイクルプレフィックスを除去する。
【００５６】
直列並列ブロック２６５は、時間ドメイン基底帯域信号を並列時間ドメイン信号に変換する。大きさＮＦＦＴブロック２７０は、Ｎ並列周波数ドメイン信号を生成するためにＦＦＴアルゴリズムを行う。並列直列ブロック２７５は、並列周波数ドメイン信号を変調されたデータシンボルのシーケンスに変換する。
【００５７】
チャンネルデコーディング及び復調ブロック２８０は、復調過程を行って変調されたシンボルを元々の入力データストリームに戻すためにデコーディングを行う。
【００５８】
それぞれの基地局１０１〜１０３が、ダウンリンクにおける加入者ステーション１１１〜１１６に伝送する伝送経路を具現することができる。そしてアップリングにおける加入者ステーション１１１〜１１６から受信する受信経路を具現することができる。
【００５９】
同じく、それぞれの加入者ステーション１１１〜１１６は、アップリンクにおいて基地局１０１〜１０３に伝送する構造に相応する伝送経路を具現することができる。そして、ダウンリングにおける基地局１０１〜１０３から受信する構造に相応する受信経路を具現することができる。
【００６０】
本発明は、移動端末がアイドルモードにおけるページングメッセージをモニタリングするのにかかる時間を減らすシステム及びその方法を説明する。
【００６１】
図３は、本発明の実施の形態によるページング制御機の動作を示す図である。
【００６２】
前記図３を参照すると、ページングネットワーク３０１は、第１ページング領域３０３及び第２ページング領域３０５を有する。ページング制御機３０７は、第１ページング領域３０３に位置した移動端末３０９〜３１３がアイドルモードに進入する際、移動端末３０９〜３１３それぞれに固有の臨時ページングＩＤ（アイドルモードの移動端末の識別用 ページングＩＤ）（TEMPORARY_ID）を割り当てる。
【００６３】
ページング制御機３０７は、移動端末３０９〜３１３にページングメッセージを基地局３１５〜３２１を介して伝送する。ページング制御機３０７は、同じページンググループＩＤ（ＰＧ−ＩＤ）を利用して、ページングメッセージを第１ページング領域３０３にある移動端末３０９〜３１３に伝送する。
【００６４】
移動端末３０９〜３１３それぞれはページングされているかを決定するために、同じページンググループＩＤ下で自らの固有のアイドルモードの移動端末の識別用ページングＩＤを検索する。
【００６５】
本発明の実施の形態における移動端末３０９〜３１３は、第１ページング領域３０３内で同じページンググループＩＤが第１ページング領域３０３の全ての基地局３１５〜３２１で使用されるため、位置更新なしに一つの基地局から他の基地局へ移動することができる（例えば、基地局３１５から基地局３１９へ）。
【００６６】
例えば、移動端末が第１ページング領域３０３を離れて第２ページング領域３０５に進入すると、移動端末は第２ページング領域３０５で使用される他のページンググループＩＤを検出する。前記他のページンググループＩＤは、移動端末に、前記移動端末が第１ページング領域３０３を離れて新たなページング領域に進入することを知らせる。新たなページンググループＩＤは、移動端末への位置更新が必要であることを知らせる。
【００６７】
本発明の実施の形態において、基地局３１７は第１ページング領域３０３及び第２ページング領域３０５の両方にかかっている。このような場合、基地局３１７はページンググループＩＤを第１ページング領域３０３及び第２ページング領域３０５の両方に伝送することができる。第２ページング領域３０５のためのページンググループＩＤは、更に他のページング制御機のために制御されてもよく、ページング制御機３０７を介して制御されてもよい。
【００６８】
一方、他の実施の形態によって、本発明のページング制御機３０７は環境又は状況に応じて基地局に含まれてもよく、また基地局制御機に含まれてもよい。
【００６９】
図４は、本発明の実施の形態によるアイドルモードの移動端末の識別用ページングＩＤを生成して使用する方法を示すフローチャートである。
【００７０】
前記図４を参照すると、コアネットワーク（特に、ページング領域でのページング制御機）は、ページング領域にアイドルモードに進入する移動端末があるかを決定する（ステップ４０１）。
【００７１】
ページング領域においてアイドルモードに進入する移動端末がある場合、ページング制御機はアイドルモードの移動端末の識別用ページングＩＤをアイドルモードに進入する移動端末に割り当てる。ページング領域にＮ個のページングサブグループがあり、ここで各サブグループは、ほぼ同じ数のアイドルモードの移動端末を有している（ステップ４０３）。
【００７２】
もし、ページング領域においてアイドルモードに進入する移動端末がない場合、本発明の方法は下記で説明するステップ４０７に進行する。  
【００７３】
ページング制御機は、各サブグループがほぼ同じ数のアイドルモードの移動端末を有している限り、アイドルモードの移動端末の識別用ページングＩＤをアイドルモードへの進入を要請する移動端末に割り当てる。例えば、ページング領域が４つのページングサブグループを有し、１０，０００個のアイドルモードの移動端末を有している場合、アイドルモードの移動端末の識別用ページングＩＤは２４ビットである。
【００７４】
本発明の実施の形態において、ページング制御機は第１アイドルモードの移動端末の識別用ページングＩＤ、０ｘ００００００をアイドルモードへの進入を要請する第１移動端末に割り当て、第２アイドルモードの移動端末の識別用ページングＩＤ、０ｘ０００００１をアイドルモードへの進入を要請する第１１移動端末に割り当て、第１１アイドルモードの移動端末の識別用ページングＩＤ、０ｘ０００００Ａをアイドルモードへの進入を要請する第１１移動端末に割り当てる方法を使用することで、ほぼ同じ大きさのサブグループを生成することができる。
【００７５】
従って、新たなアイドルモードの移動端末の識別用ページングＩＤが必要となるたびに、ページング制御機は最新のアイドルモードの移動端末の識別用ページングＩＤを一つ増加させ、新たなアイドルモードの移動端末の識別用ページングＩＤをアイドルモードへの進入を要請する新たな移動端末に割り当てる。
【００７６】
もし、Ｔｅｐｏｒａｒｙ＿ＩＤ  ｍｏｄｕｌｏ４がｎと同じである場合（例えば、ｎ＝０、１、２、３）、移動端末はサブグループｎに属する。このような場合、各サブグループは、ちょうど２，５００個のアイドルモードの移動端末を有する。
【００７７】
本発明の更に他の実施の形態において、ページング制御機は、アイドルモードの移動端末の識別用ページングＩＤの最後の２ビットで００、０１、１０、１１を循環し、ランダムに更に高い２２ビット（ｔｈｅ  ｈｉｇｈｅｒ  ２２ｂｉｔ）に対する値を選択することで、ほぼ同じ大きさのサブグループを生成することができる。
【００７８】
このような実施の形態においては、もし２４ビットのアイドルモードの移動端末の識別用ページングＩＤが既に存在しているアイドルモードの移動端末に割り当てられた場合、ページング制御機は新たなアイドルモードの移動端末の識別用ページングＩＤがページング領域に対して固有になるまで、ランダムに更に他の２２ビット値を選択する。
【００７９】
このような実施の形態は２つの目的を達成することができる。最初に、各移動端末はほぼランダムなアイドルモードの移動端末の識別用ページングＩＤを有する。前記ほぼランダムなアイドルモードの移動端末の識別用ページングＩＤは、移動端末のｉｄｅｎｔｉｔｙを隠すのに好ましい。次に、以前の方法と類似して、ページングサブグループの移動端末の数の差が０、１、−１となる。
【００８０】
割り当てられたアイドルモードの移動端末の識別用ページングＩＤは、ページング領域を離れた移動端末から復旧したアイドルモードの移動端末の識別用ページングＩＤから生成される。例えば、復旧されたアイドルモードの移動端末の識別用ページングＩＤがある場合、ページング制御機は復旧されたアイドルモードの移動端末の識別用ページングＩＤを移動端末に割り当てることができる（ステップ４０３）。また他の実施の形態では、復旧されたアイドルモードの移動端末の識別用ページングＩＤがある場合、ページング制御機は復旧されたアイドルモードの移動端末の識別用ページングＩＤの下位２ビットを使用することができる。そして移動端末に割り当てる固有の擬似ランダムなアイドルモードの移動端末の識別用ページングＩＤを生成するため、更に高い２２ビットをランダムに選択することができる（ステップ４０３）。
【００８１】
アイドルモードの移動端末の識別用ページングＩＤを生成した後、ページング制御機はアイドルモードの移動端末の識別用ページングＩＤを、移動端末に、前記移動端末と現在通信中の基地局を介して割り当てる（伝送する）（ステップ４０５）。
【００８２】
本発明の実施の形態において、ページング制御機が、移動端末がページング領域を離れたことを知った場合（ステップ４０７）、前記ページング制御機は移動端末のアイドルモードの移動端末の識別用ページングＩＤを復旧することができる。そして、アイドルモードへの進入を要請する移動端末に前記アイドルモードの移動端末の識別用ページングＩＤを割り当てることができる。また更に他の実施の形態において、ページング制御機は、前記ページング領域を離れた移動端末のアイドルモードの移動端末の識別用ページングＩＤの最後の２ビットを復旧することができる（ステップ４０９）。
【００８３】
図５は、本発明の実施の形態によるページング移動端末が、ページングの領域におけるアイドルモードの移動端末の識別用ページングＩＤを使用する方法を示すフローチャートである。
【００８４】
前記図５を参照すると、ページング領域の基地局は、ページング制御機から移動端末と関連したアイドルモードの移動端末の識別用ページングＩＤを受信する（ステップ５０１）。そして各ページングサイクルにおけるページング機会又はフレームのシングルインデックスを決定する（ステップ５０３）。前記シングルインデックスは、少なくとも部分的に、受信したアイドルモードの移動端末の識別用ページング識別子に基づく。
【００８５】
前記基地局は、ページングサイクルのページング機会又はフレームのインデックスｎでだけ移動端末に対するアイドルモードの移動端末の識別用ページングＩＤを伝送する（ステップ５０５）。
【００８６】
ここで、ｎ＝ＭＳ  アイドルモードの移動端末の識別用ページングＩＤ％Ｎである。本発明において、％はモジュロ演算（Ｍｏｄｕｌｏ  Ｏｐｅｒａｔｉｏｎ）を示す。
【００８７】
ページングサイクルは、スーパーフレームの数（ａ  ｎｕｍｂｅｒ  ｏｆ  ｓｕｐｅｒｆｒａｍｅｓ）で構成される。ＭＯＢ＿ＰＡＧ−ＡＤＶ（）放送インターバルは、ページングサイクルにおいてＮ個の連続したフレーム又はページング機会であり、定数ｎは０からＮ−１の範囲である。
【００８８】
従って、ＭＯＢ＿ＰＡＧ−ＡＤＶ（）メッセージの数は、Ｎ個の連続したフレームの内の各フレームにおいてせいぜい１つである。追加的に、もしＭＯＢ＿ＰＡＧ−ＡＤＶ（）がフレームの存在する場合、ＭＯＢ＿ＰＡＧ−ＡＤＶ（）は最初のＫサブフレームで放送される。
【００８９】
結果的に、基地局が移動端末をアイドルモードの移動端末の識別用ページングＩＤを利用してページングするならば、基地局はアイドルモードの移動端末の識別用ページングＩＤ％ＮのフレームにおいてＭＯＢ＿ＰＡＧ−ＡＤＶ（）を伝送する。即ち、ページング機会のインデックスはアイドルモードの移動端末の識別用ページングＩＤ％Ｎと同じである。これは基地局がフレーム又はページング機会を移動端末に均一に分配することを許可する。
【００９０】
図６は、本発明の実施の形態によるページングメッセージをモニタリングする方法を示すフローチャートである。
【００９１】
前記図６を参照すると、上述したように、ページングサイクルの間伝送されるＭＯＢ＿ＰＡＧ−ＡＤＶ（）がある場合、基地局はページングサイクルでアイドルモードの移動端末の識別用ページングＩＤ％Ｎと同じフレーム番号でＭＯＢ＿ＰＡＧ−ＡＤＶ（）を伝送する。移動端末は、ページングメッセージをモニタリングするための各ページングサイクルにおけるページング機会又はフレームのシングルインデックスを決定する（ステップ６０１）。
【００９２】
前記シングルインデックスは、少なくとも部分的に、受信したアイドルモードの移動端末の識別用ページング識別子に基づく。従って、各ページングサイクルの始まりの部分で、移動端末は自動的にどのフレームからＭＯＢ＿ＰＡＧ−ＡＤＶ（）を探しているかが分かる。なぜなら、移動端末はページングサイクルにおけるページング機会又はフレームのインデックスｎから伝送されたページングメッセージだけをモニタリングするためである。ここで、ｎはＭＳアイドルモードの移動端末の識別用ページングＩＤ％Ｎである（ステップ６０３）。
【００９３】
もし、移動端末がページングされない場合（ステップ６０５）、移動端末はページング不可用インターバルにスイッチングする（ステップ６０７）。もし、移動端末がページングされた場合（ステップ６０５）、移動端末はネットワークへの再進入を始める（ステップ６０９）。従って、移動端末は、各ページングサイクルにおいてＫサブフレームの間ページングリスニングウィンドウに留まらなければならない。本発明はページングメッセージを分配するため、大きなページングメッセージを伝送する確率を相当減少させることができる。
【００９４】
このような実施の形態は、アイドルモードにおける移動端末に対して相当な電力を節減することができ、位置更新手続きに影響を及ぼさない。
【００９５】
図７は、本発明の実施の形態によるページングサイクルにおけるページングメッセージの分配を示す図である。
【００９６】
前記図７を参照すると、一つのスーパーフレーム又は４つのフレームで構成されたＭＯＢ＿ＰＡＧ−ＡＤＶ（）放送インターバルが示されている。そしてアイドルモードの移動端末の識別用ページングＩＤ（０ｘ０００００１０、１６）を有する移動端末７０１が示されている。
【００９７】
移動端末７０１が次のページングサイクルでページングされると、移動端末７０１のアイドルモードの移動端末の識別用ページングＩＤを含むＭＯＢ＿ＰＡＧ−ＡＤＶ（）はフレーム１の最初のサブフレーム７０７で伝送される。なぜなら、０ｘ００００００％４＝０であるためである。
【００９８】
ここでフレームは、アイドルモードの移動端末の識別用ページングＩＤ％４の動作の結果であるフレーム番号ｎに対するフレームに該当する。そして、アイドルモードの移動端末の識別用ページングＩＤは、前記移動端末に割り当てられたアイドルモードの移動端末の識別用ページングＩＤである。
【００９９】
本発明の実施の形態において、移動端末７０３及び移動端末７０５のアイドルモードの移動端末の識別用ページングＩＤはそれぞれ０ｘ００００００１、０ｘ００００００７である。従ってページングメッセージが存在するなら、移動端末７０３及び移動端末７０５に対するページングメッセージは、フレーム２，４の最初のサブフレーム７０９、７１１でそれぞれ伝送される。
【０１００】
本発明によると、移動端末は自動的にどのフレームでＭＯＢ＿ＰＡＧ−ＡＤＶ（）を探すべきかが分かる。もし、移動端末がページングされていない場合、移動端末はページング不可用インターバルにスイッチングする。もし、移動端末がページングされた場合、移動端末はネットワークへの再進入を始める。
【０１０１】
本発明の実施の形態において、移動端末７０１は図８に示されたように、各ページングサイクルで一つのサブフレーム７０７に対するＰＬＩに留まらなければならない。
【０１０２】
さらに、明示的（ｅｘｐｌｉｃｔ）なシグナリングなしに、移動端末は、自動的に各ページングサイクルの間どのフレーム（詳しくはサブフレーム）で移動端末がページングされるのかをモニタリングすべきかが分かる。従って、ページングインジケータ、位置インジケータ又はラストページングインジケータを必要としない。
【０１０３】
図８に示されたように、移動端末は、効率的な電力の消費のため、各ページングサイクルでいくつかのサブフレームの間起きていなければならない。
【０１０４】
セル内で、基地局は同一な距離の（ｅｑｕａｌｌｙ  ｄｉｓｔａｎｃｅｄ）、いくつかのページング機会で移動端末をページングする。通常、同じ数の端末がそれぞれのページング機会で移動端末をページングする。ほぼ同じ数の移動端末がそれぞれのページング機会でページングされる。
【０１０５】
これは、自然に、アップリングアクセスのために移動端末がページングされた後、移動端末を配置できるようにする。そしてこれはアップリングアクセスでの混雑（ｃｏｎｇｅｓｔｉｏｎ）を減少させるか、避けるようにする。
【０１０６】
本発明は、スーパーフレーム、フレーム及びサブフレームを利用したページング機会を図示している。本発明はページング機会の大きさ（ｓｃａｌｅ）に制限されない。
【０１０７】
例えば、図７及び図８のページング機会は、好ましい場合、特にアップリングアクセス機会の割り当てと分配を考えると、スーパーフレームの数ほど距離がある可能性がある（ｄｉｓｔａｎｃｅｄ）。
【０１０８】
もし、移動端末がページングメッセージをデコーディングすることができなければ、移動端末はアイドル状態に再び戻る。そして基地局は次のページング区間に前記移動端末を再びページングする。もちろん、他の失敗の復旧メカニズムが使用されてもよい。どのような場合でも、基地局と移動端末の間における同期化の損失（ｌｏｓｓ  ｏｆ  ｓｙｎｃｈｒｏｎｉｚａｔｉｏｎ）はない。
【０１０９】
更に、２つのページング領域において移動する端末は、位置更新をする必要がないよう、各ページング領域に対するアイドルモードの移動端末の識別用ページングＩＤを割り当てられてもよい。
【０１１０】
理想的には、移動端末が２つのアイドルモードの移動端末の識別用ページングＩＤを一つのページング機会にモニタリングできるようにするため、２つのページングＩＤが生成される。このため、このような２つのアイドルモードの移動端末の識別用ページングＩＤ％Ｎは互いに同じ値である。
【０１１１】
同じアイドルモードの移動端末の識別用ページングＩＤは、移動端末が２つのサブフレームをモニタリングしなくするため、各ページングサイクルにおいて、そして両方の（ｂｏｔｈ）ページング領域において移動端末が電力を節減できるように使用されてもよい。
【０１１２】
一方、本発明の詳細な説明では具体的な実施の形態について説明したが、本発明の範囲を逸脱しない範囲内で様々な変形がかのうであることはもちろんである。従って、本発明の範囲は説明された実施の形態に限らず、後述する特許請求の範囲だけでなく、この特許請求の範囲と均等なものによって決まらなければならない。
【符号の説明】
【０１１３】
１００  無線ネットワーク
１０１〜０３  基地局
１１１〜１１６  加入者ステーション
１２０、１２５  カバレッジ領域
１３０  インターネット
【手続補正２】
【補正対象書類名】特許請求の範囲
【補正対象項目名】全文
【補正方法】変更
【補正の内容】
【特許請求の範囲】
【請求項１】
ネットワークのカバレッジ領域内で多数の基地局と無線通信が可能なページング制御機において、前記ページング制御機は、
ページング領域内の移動端末がアイドルモードへの進入を要請する場合、アイドルモードの移動端末の識別用ページング識別子を前記移動端末に割り当て、
前記アイドルモードの移動端末の識別用ページング識別子を前記移動端末と通信する基地局に伝送し、
前記アイドルモードの移動端末の識別用ページング識別子は、前記移動端末に対するページングメッセージを伝送するためのページングサイクルにおいて、ページング機会又はフレームのインデックスを決定するために、前記基地局によって使用されることを特徴とするページング制御機。
【請求項２】
前記ページング機会又はフレームのインデックスは、下記数式を利用して決定されることを特徴とする請求項１に記載のページング制御機。
インデックス＝アイドルモードの移動端末の識別用ページング識別子％Ｎ  
ここで、％はモジュロ演算を示し、Ｎはページングサイクルにおけるページング機会又はフレームの数を示す。
【請求項３】
ページング領域において、次の移動端末がアイドルモードへの進入を要請する場合、前記アイドルモードの移動端末の識別用ページング識別子が１増加することでアイドルモードの移動端末の識別用ページング識別子を新たに生成することを特徴とする請求項１に記載のページング制御機。
【請求項４】
前記移動端末が前記ページング領域を離れる場合、前記ページング制御機は前記移動端末のアイドルモードの移動端末の識別用ページング識別子を復旧し、前記アイドルモードの移動端末の識別用ページング識別子を前記ページング領域でアイドルモードへの進入を要請する次の移動端末に再び割り当てることを特徴とする請求項１に記載のページング制御機。
【請求項５】
前記アイドルモードの移動端末の識別用ページング識別子の最後の２ビットは、００、０１、１０、および１１のうちの一つで構成され、上位ビット（ｈｉｇｈｅｒ  ｂｉｔｓ）はランダムに選択される値であることを特徴とする請求項１に記載のページング制御機。
【請求項６】
前記移動端末が前記ページング領域を離れる場合、前記ページング制御機は前記移動端末のアイドルモードの移動端末の識別用ページング識別子の最後の２ビットを復旧し、前記ページング領域でアイドルモードへの進入を要請する次の移動端末に対する新たなアイドルモードの移動端末の識別用ページング識別子を生成するための前記最後の２ビットを使用することを特徴とする請求項５に記載のページング制御機。
【請求項７】
前記移動端末は、少なくとも部分的に前記アイドルモードの移動端末の識別用ページング識別子に基づく一つ又は複数のページングサブグループに割り当てられることを特徴とする請求項１に記載の制御機。
【請求項８】
各ページングサブグループは、ほぼ同じ数のアイドルモードの移動端末を有していることを特徴とする請求項７に記載の制御機。
【請求項９】
前記移動端末は、下記数式を利用してページングサブグループに割り当てられることを特徴とする請求項７に記載のページング制御機。
ページングサブグループインデックス＝アイドルモードの移動端末の識別用ページング識別子％ｎ
ここで、％はモジュロ演算を示し、ｎはページングサブグループの全体の数を示す。
【請求項１０】
ページング制御機の動作方法において、
ページング領域内の移動端末がアイドルモードへの進入を要請する場合、アイドルモードの移動端末の識別用ページング識別子を前記移動端末に割り当てる過程と、
前記アイドルモードの移動端末の識別用ページング識別子を前記移動端末と通信する基地局に伝送する過程と、を含み、
前記アイドルモードの移動端末の識別用ページング識別子は、前記移動端末に対するページングメッセージを伝送するためのページングサイクルにおいて、ページング機会又はフレームのインデックスを決定するために、前記基地局によって使用されることを特徴とする方法。
【請求項１１】
前記ページング機会又はフレームのインデックスを決定する過程は、下記数式を利用して決定されることを特徴とする請求項１０に記載の方法。
インデックス＝アイドルモードの移動端末の識別用ページング識別子％Ｎ
ここで、％はモジュロ演算を示し、Ｎはページングサイクルにおけるページング機会又はフレームの数を示す。
【請求項１２】
前記ページング領域において、次の端末がアイドルモードへの進入を要請する場合、前記アイドルモードの移動端末の識別用ページング識別子が１増加することでアイドルモードの移動端末の識別用ページング識別子を新たに生成する過程を更に含むことを特徴とする請求項１０に記載の方法。
【請求項１３】
前記移動端末が前記ページング領域を離れる場合、前記移動端末の前記アイドルモードの移動端末の識別用ページング識別子を復旧し、前記アイドルモードの移動端末の識別用ページング識別子をアイドルモードへの進入を要請する次の移動端末に再び割り当てる過程を更に含むことを特徴とする請求項１０に記載の方法。
【請求項１４】
前記アイドルモードの移動端末の識別用ページング識別子の最後の２ビットは、００、０１、１０、および１１のうちの一つで構成され、上位ビットはランダムに選択される値であることを特徴とする請求項１０に記載の方法。
【請求項１５】
前記移動端末が前記ページング領域を離れる場合、前記移動端末の前記アイドルモードの移動端末の識別用ページング識別子の最後の２ビットを復旧し、前記ページング領域でアイドルモードへの進入を要請する次の移動端末に対する新たなアイドルモードの移動端末の識別用ページング識別子を生成するために前記最後の２ビットを使用する過程を更に含むことを特徴とする請求項１４に記載の方法。
【請求項１６】
前記移動端末は、少なくとも部分的にアイドルモードの移動端末の識別用ページング識別子に基づく一つ又は複数のページングサブグループに割り当てられることを特徴とする請求項１０に記載の方法。
【請求項１７】
各ページングサブグループは、ほぼ同じ数のアイドルモードの移動端末を有していることを特徴とする請求項１６に記載の方法。
【請求項１８】
前記移動端末は、下記数式を利用してページングサブグループに割り当てられることを特徴とする請求項１６に記載の方法。
ページングサブグループインデックス＝アイドルモードの移動端末の識別用ページング識別子％ｎ
ここで、％はモジュロ演算を示し、ｎはページングサブグループの全体の数を示す。
【請求項１９】
ネットワークのカバレッジ領域内における多数の加入者ステーション（ｓｕｂｓｃｒｉｂｅｒ  ｓｔａｔｉｏｎｓ）と通信可能な多数の基地局において、多数の基地局のうち少なくとも一つの基地局は、
アイドルモードの移動端末の識別用ページング識別子をページング制御機から受信し、前記アイドルモードの移動端末の識別用ページング識別子はアイドルモードへの進入を要請する移動端末と関連され、
前記アイドルモードの移動端末の識別用ページング識別子を使用する移動端末に対するページングメッセージを伝送するページングサイクルにおいて、ページング機会又はフレームのインデックスを決定することを特徴とする基地局。
【請求項２０】
前記ページングサイクルのページング機会又はフレームにおいて、前記移動端末に対するページングメッセージを伝送することを特徴とする請求項１９に記載の基地局。
【請求項２１】
前記ページング機会又はフレームのインデックスは、下記数式を利用して決定されることを特徴とする請求項１９に記載の基地局。
インデックス＝アイドルモードの移動端末の識別用ページング識別子％Ｎ
ここで、％はモジュロ演算を示し、Ｎはページングサイクルにおけるページング機会又はフレームの数を示す。
【請求項２２】
基地局の動作方法において、
アイドルモードの移動端末の識別用ページング識別子をページング制御機から受信する過程を含み、前記アイドルモードの移動端末の識別用ページング識別子はアイドルモードへの進入を要請する移動端末と関連され、
前記アイドルモードの移動端末の識別用ページング識別子を使用する移動端末に対するページングメッセージを伝送するページングサイクルにおいて、ページング機会又はフレームのインデックスを決定する過程を含むことを特徴とする方法。
【請求項２３】
前記ページングサイクルのページング機会又はフレームにおいて、前記移動端末に対する前記ページングメッセージを伝送する過程を更に含むことを特徴とする請求項２２に記載の方法。
【請求項２４】
前記ページング機会又はフレームのインデックスは、下記数式を利用して決定されることを特徴とする請求項２２に記載の方法。
インデックス＝アイドルモードの移動端末の識別用ページング識別子％Ｎ
ここで、％はモジュロ演算を示し、Ｎはページングサイクルにおけるページング機会又はフレームの数を示す。
【請求項２５】
移動端末において、
各ページングサイクルにおけるページングメッセージをモニターするためにページング機会又はフレームのシングルインデックスを決定し、前記シングルインデックスは、少なくとも部分的に前記移動端末に割り当てられたアイドルモードの移動端末の識別用ページング識別子に基づき、
前記シングルインデックスのページング機会又はフレームでだけページングメッセージをモニタリングすることを特徴とする移動端末。
【請求項２６】
前記ページング機会又はフレームのシングルインデックスは、下記数式によって決定されることを特徴とする請求項２５に記載の移動端末。
インデックス＝アイドルモードの移動端末の識別用ページング識別子％Ｎ
ここで、％はモジュロ演算を示し、Ｎはページングサイクルにおけるページング機会又はフレームの数を示す。
【請求項２７】
前記移動端末は、
各ページングサイクルにおいて、一つのページング機会又はサブフレームだけのためのページングリスニングインターバルに残っていることを特徴とする請求項２５に記載の移動端末。
【請求項２８】
前記移動端末が前記シングルインデックスのページング機会又はフレームでページングメッセージを受信できなかった場合、前記移動端末はページング不可用インターバルにスイッチすることを特徴とする請求項２５に記載の移動端末。
【請求項２９】
前記移動端末がシングルインデックスのページング機会又はフレームにおけるメッセージを受信する場合、前記移動端末は、ネットワークへの再進入を始めることを特徴とする請求項２５に記載の移動端末。
【請求項３０】
前記移動端末は、明示的（ｅｘｐｌｉｃｉｔ）なシグナリングなしに、前記シングルインデックスを決定することを特徴とする請求項２５に記載の移動端末。
【請求項３１】
前記移動端末は、ページングインジケータ、ページング位置インジケータ及びラストページングインジケータなしに、前記シングルインデックスを決定することを特徴とする請求項２５に記載の移動端末。
【手続補正３】
【補正対象書類名】図面
【補正対象項目名】図４
【補正方法】変更
【補正の内容】
【図４】
2011527547.tif 000011
【手続補正４】
【補正対象書類名】図面
【補正対象項目名】図５
【補正方法】変更
【補正の内容】
【図５】
2011527547.tif 000012
【手続補正５】
【補正対象書類名】図面
【補正対象項目名】図６
【補正方法】変更
【補正の内容】
【図６】
2011527547.tif 000013
【国際調査報告】
2011527547.tif 000014
2011527547.tif 000015